(57)【要約】  多くのモバイルデバイスおよびモバイルネットワークは、ネットワーク内のモバイルデバイスのポジション情報を計算するために、直交周波数分割多重化（ＯＦＤＭ）を利用する。しかしながら、ドップラー効果および他の雑音または障害物が、特に、モバイルデバイスが移動しているときに、ＯＦＤＭ信号がエンタングルされたようになることを引き起こし得、計算されたポジション情報を不正確にする。本明細書では、従来のＯＦＤＭで使用される最小シンボル長よりも長い、信号についてのシンボル長を計算することによって、ＯＦＤＭ信号をディスエンタングルするためのシステムおよび方法が説明される。より長いシンボル長を選択することは、信号に対するドップラー効果および他の雑音を低減させ、測位計算をより正確にする。
2021520489.tif 000002
【特許請求の範囲】
【請求項１】
ワイヤレス通信ネットワーク上のワイヤレスポジション測定信号に対するモバイルデバイスの動きの影響を低減させるための方法であって、前記方法は、
所定の周波数帯域を複数のサブキャリア周波数帯域に分割するためのサブキャリア周波数間隔を定義することと、
時間領域におけるシンボル長を決定することと、ここにおいて、前記シンボル長は、前記サブキャリア周波数間隔に基づいて決定される最小シンボル長よりも大きく、
前記複数のサブキャリア周波数帯域のうちの第１のサブキャリア周波数帯域上で、前記シンボル長のシンボル中に第１のワイヤレスポジション測定信号の少なくとも一部分を送信するための命令を、第１の基地局に送ることと、ここにおいて、前記第１のワイヤレスポジション測定信号の前記少なくとも一部分は、周波数領域において第１のｓｉｎｃ形状関数を有し、ここにおいて、前記第１のｓｉｎｃ形状関数は、周波数が前記第１のｓｉｎｃ形状関数のメインローブを超えて増大するにつれて、複数の順序付けられたヌル点を有し、
前記複数のサブキャリア周波数帯域のうちの第２のサブキャリア周波数帯域上で、前記シンボル中に第２のワイヤレスポジション測定信号の少なくとも一部分を送信するための命令を、第２の基地局に送ることと、ここにおいて、前記第２のサブキャリア周波数帯域は、前記第１のサブキャリア周波数帯域に隣接しており、ここにおいて、前記第２のワイヤレスポジション測定信号の前記少なくとも一部分は、前記周波数領域において第２のｓｉｎｃ形状関数を有し、ここにおいて、前記第２のｓｉｎｃ形状関数のメインローブは、前記第１のｓｉｎｃ形状関数の第１の順序付けられたヌル点の後の、前記第１のｓｉｎｃ形状関数のヌル点にある、
を備える、方法。
【請求項２】
前記最小シンボル長は、スロット長を前記サブキャリア周波数間隔で除算することによって計算される、請求項１に記載の方法。
【請求項３】
前記シンボル長は、前記最小シンボル長の整数倍である、請求項１に記載の方法。
【請求項４】
前記整数倍は、偶数整数倍である、請求項３に記載の方法。
【請求項５】
前記時間領域における前記シンボル長を決定することは、
前記サブキャリア周波数間隔に基づいて、前記最小シンボル長を計算することと、
前記最小シンボル長よりも大きい前記シンボル長を選択することと
を備える、請求項１に記載の方法。
【請求項６】
前記シンボル長を決定することは、前記サブキャリア周波数間隔を変更しない、請求項１に記載の方法。
【請求項７】
前記シンボル長を決定することは、前記第２のｓｉｎｃ形状関数が、前記第１のｓｉｎｃ形状関数の少なくとも第４以上の順序付けられたヌル点にあるように、前記シンボル長を選択することを備える、請求項１に記載の方法。
【請求項８】
ワイヤレス通信ネットワーク上のワイヤレスポジション測定信号に対するモバイルデバイスの動きの影響を低減させるためのロケーションサーバであって、前記ロケーションサーバは、
メモリと、
前記メモリに通信可能に結合され、かつ、
所定の周波数帯域を複数のサブキャリア周波数帯域に分割するためのサブキャリア周波数間隔を定義することと、
時間領域におけるシンボル長を決定することと、ここにおいて、前記シンボル長は、前記サブキャリア周波数間隔に基づいて決定される最小シンボル長よりも大きく、
前記複数のサブキャリア周波数帯域のうちの第１のサブキャリア周波数帯域上で、前記シンボル長のシンボル中に第１のワイヤレスポジション測定信号の少なくとも一部分を送信するための命令を、第１の基地局に送ることと、ここにおいて、前記第１のワイヤレスポジション測定信号の前記少なくとも一部分は、周波数領域において第１のｓｉｎｃ形状関数を有し、ここにおいて、前記第１のｓｉｎｃ形状関数は、周波数が前記第１のｓｉｎｃ形状関数のメインローブを超えて増大するにつれて、複数の順序付けられたヌル点を有し、
前記複数のサブキャリア周波数帯域のうちの第２のサブキャリア周波数帯域上で、前記シンボル中に第２のワイヤレスポジション測定信号の少なくとも一部分を送信するための命令を、第２の基地局に送ることと、ここにおいて、前記第２のサブキャリア周波数帯域は、前記第１のサブキャリア周波数帯域に隣接しており、ここにおいて、前記第２のワイヤレスポジション測定信号の前記少なくとも一部分は、前記周波数領域において第２のｓｉｎｃ形状関数を有し、ここにおいて、前記第２のｓｉｎｃ形状関数のメインローブは、前記第１のｓｉｎｃ形状関数の第１の順序付けられたヌル点の後の、前記第１のｓｉｎｃ形状関数のヌル点にある、
を行うように構成された１つまたは複数のプロセッサと
を備える、ロケーションサーバ。
【請求項９】
前記最小シンボル長は、スロット長を前記サブキャリア周波数間隔で除算することによって計算される、請求項８に記載のロケーションサーバ。
【請求項１０】
前記シンボル長は、前記最小シンボル長の整数倍である、請求項８に記載のロケーションサーバ。
【請求項１１】
前記整数倍は、偶数整数倍である、請求項１０に記載のロケーションサーバ。
【請求項１２】
前記時間領域における前記シンボル長を決定するように構成された前記１つまたは複数のプロセッサは、
前記サブキャリア周波数間隔に基づいて、前記最小シンボル長を計算することと、
前記最小シンボル長よりも大きい前記シンボル長を選択することと
を行うようにさらに構成される、請求項８に記載のロケーションサーバ。
【請求項１３】
前記シンボル長を決定することは、前記サブキャリア周波数間隔を変更しない、請求項８に記載のロケーションサーバ。
【請求項１４】
前記シンボル長を決定することは、前記第２のｓｉｎｃ形状関数が、前記第１のｓｉｎｃ形状関数の少なくとも第４以上の順序付けられたヌル点にあるように、前記シンボル長を選択することを備える、請求項８に記載のロケーションサーバ。
【請求項１５】
基地局に命令を送るためのロケーションサーバであって、前記ロケーションサーバは、
所定の周波数帯域を複数のサブキャリア周波数帯域に分割するためのサブキャリア周波数間隔を定義するための手段と、
時間領域におけるシンボル長を決定するための手段と、ここにおいて、前記シンボル長は、前記サブキャリア周波数間隔に基づいて決定される最小シンボル長よりも大きく、
前記複数のサブキャリア周波数帯域のうちの第１のサブキャリア周波数帯域上で、前記シンボル長のシンボル中に第１のワイヤレスポジション測定信号の少なくとも一部分を送信するための命令を、第１の基地局に送るための手段と、ここにおいて、前記第１のワイヤレスポジション測定信号の前記少なくとも一部分は、周波数領域において第１のｓｉｎｃ形状関数を有し、ここにおいて、前記第１のｓｉｎｃ形状関数は、周波数が前記第１のｓｉｎｃ形状関数のメインローブを超えて増大するにつれて、複数の順序付けられたヌル点を有し、
前記複数のサブキャリア周波数帯域のうちの第２のサブキャリア周波数帯域上で、前記シンボル中に第２のワイヤレスポジション測定信号の少なくとも一部分を送信するための命令を、第２の基地局に送るための手段と、ここにおいて、前記第２のサブキャリア周波数帯域は、前記第１のサブキャリア周波数帯域に隣接しており、ここにおいて、前記第２のワイヤレスポジション測定信号の前記少なくとも一部分は、前記周波数領域において第２のｓｉｎｃ形状関数を有し、ここにおいて、前記第２のｓｉｎｃ形状関数のメインローブは、前記第１のｓｉｎｃ形状関数の第１の順序付けられたヌル点の後の、前記第１のｓｉｎｃ形状関数のヌル点にある、
を備える、ロケーションサーバ。
【請求項１６】
前記最小シンボル長は、スロット長を前記サブキャリア周波数間隔で除算することによって計算される、請求項１５に記載のロケーションサーバ。
【請求項１７】
前記シンボル長は、前記最小シンボル長の整数倍である、請求項１５に記載のロケーションサーバ。
【請求項１８】
前記時間領域における前記シンボル長を決定するための前記手段は、
前記サブキャリア周波数間隔に基づいて、前記最小シンボル長を計算するための手段と、
前記最小シンボル長よりも大きい前記シンボル長を選択するための手段と
をさらに備える、請求項１５に記載のロケーションサーバ。
【請求項１９】
前記シンボル長を決定することは、前記サブキャリア周波数間隔を変更しない、請求項１５に記載のロケーションサーバ。
【請求項２０】
ロケーションサーバに、
所定の周波数帯域を複数のサブキャリア周波数帯域に分割するためのサブキャリア周波数間隔を定義することと、
時間領域におけるシンボル長を決定することと、ここにおいて、前記シンボル長は、前記サブキャリア周波数間隔に基づいて決定される最小シンボル長よりも大きく、
前記複数のサブキャリア周波数帯域のうちの第１のサブキャリア周波数帯域上で、前記シンボル長のシンボル中に第１のワイヤレスポジション測定信号の少なくとも一部分を送信するための命令を、第１の基地局に送ることと、ここにおいて、前記第１のワイヤレスポジション測定信号の前記少なくとも一部分は、周波数領域において第１のｓｉｎｃ形状関数を有し、ここにおいて、前記第１のｓｉｎｃ形状関数は、周波数が前記第１のｓｉｎｃ形状関数のメインローブを超えて増大するにつれて、複数の順序付けられたヌル点を有し、
前記複数のサブキャリア周波数帯域のうちの第２のサブキャリア周波数帯域上で、前記シンボル中に第２のワイヤレスポジション測定信号の少なくとも一部分を送信するための命令を、第２の基地局に送ることと、ここにおいて、前記第２のサブキャリア周波数帯域は、前記第１のサブキャリア周波数帯域に隣接しており、ここにおいて、前記第２のワイヤレスポジション測定信号の前記少なくとも一部分は、前記周波数領域において第２のｓｉｎｃ形状関数を有し、ここにおいて、前記第２のｓｉｎｃ形状関数のメインローブは、前記第１のｓｉｎｃ形状関数の第１の順序付けられたヌル点の後の、前記第１のｓｉｎｃ形状関数のヌル点にある、
を行わせるように構成されたコンピュータ可読命令を記憶した、非一時的なコンピュータ可読媒体。
【発明の詳細な説明】
【背景技術】
【０００１】
１．分野
[0001]  本明細書で開示される主題は、電子デバイスに関し、より詳細には、ワイヤレス通信ネットワーク（wireless communication network）を使用してモバイルデバイス（mobile device）のナビゲーション（navigation）および位置特定（location）をサポートするために使用するための方法および装置に関する。
【０００２】
２．情報
[0002]  ワイヤレスネットワークにアクセスしているモバイルデバイスのロケーション（location）またはポジション（position）を取得することは、例えば、緊急呼出し、パーソナルナビゲーション、資産管理、友人または家族の一員を位置特定することなどを含む、多くのアプリケーションに有用であり得る。既存の測位方法は、衛星ビークル（ＳＶ：satellite vehicle）と、基地局（base station）およびアクセスポイント（access point）などのワイヤレスネットワークにおける地上無線ソースとを含む、様々なデバイスから送信された無線信号を測定することに基づく方法を含む。いくつかのケースでは、無線ソースから送信される無線信号は、無線信号が複数のサブキャリア周波数上で送信され得るように、直交周波数分割多重化（ＯＦＤＭ：orthogonal frequency division multiplexing）のために配置される。ワイヤレスネットワークでは、モバイルデバイスは、移動していることがあり得、これは、モバイルデバイスにおいて、送信された信号に対するドップラー効果（Doppler Effect）を引き起こし得る。ドップラー効果は、送信された信号に基づく位置特定およびナビゲーション計算の精度における大幅な低減（substantial reduction）を引き起こし得る。本明細書で開示される実施形態は、ワイヤレス通信ネットワークにおけるモバイルデバイスの正確な測位および位置特定を可能にするために、ＯＦＤＭを使用して送信された信号に対するドップラー効果を緩和する技法をインプリメントすることによって、これらの問題に対処する。
【図面の簡単な説明】
【０００３】
[0003]  非限定的かつ非網羅的な態様が、以下の図を参照して説明される。
【図１】[0004]  図１は、ある実施形態による、ユーザ機器（ＵＥ：user equipment）に関するポジションを決定するために５Ｇセルラネットワークを利用し得る通信システムの図を例示する。
【図２】[0005]  図２は、ＯＦＤＭ信号のハイレベル信号構造を例示する。
【図３Ａ】[0006]  図３Ａは、ある実施形態による、直交周波数分割多重化（ＯＦＤＭ）を使用してＵＥによって受信される測位測定信号の振幅対周波数ビンを表すグラフを例示する。
【図３Ｂ】[0007]  図３Ｂは、ある実施形態による、ＯＦＤＭを使用してＵＥによって受信される測位測定信号の振幅対周波数ビンを表す別のグラフを例示する。
【図４】[0008]  図４は、ある実施形態による、周波数間隔値（frequency spacing value）に対するサブフレーム当たりのスロット数のオプションの表を例示する。
【図５Ａ】[0009]  図５Ａは、ある実施形態による、ＯＦＤＭを用いた様々なシンボル長（symbol length）を使用する測位測定信号の振幅対周波数をそれぞれ表す一連のグラフのうちの１つを例示する。
【図５Ｂ】図５Ｂは、ある実施形態による、ＯＦＤＭを用いた様々なシンボル長を使用する測位測定信号の振幅対周波数をそれぞれ表す一連のグラフのうちの１つを例示する。
【図５Ｃ】図５Ｃは、ある実施形態による、ＯＦＤＭを用いた様々なシンボル長を使用する測位測定信号の振幅対周波数をそれぞれ表す一連のグラフのうちの１つを例示する。
【図５Ｄ】図５Ｄは、ある実施形態による、ＯＦＤＭを用いた様々なシンボル長を使用する測位測定信号の振幅対周波数をそれぞれ表す一連のグラフのうちの１つを例示する。
【図５Ｅ】図５Ｅは、ある実施形態による、ＯＦＤＭを用いた様々なシンボル長を使用する測位測定信号の振幅対周波数をそれぞれ表す一連のグラフのうちの１つを例示する。
【図５Ｆ】図５Ｆは、ある実施形態による、ＯＦＤＭを用いた様々なシンボル長を使用する測位測定信号の振幅対周波数をそれぞれ表す一連のグラフのうちの１つを例示する。
【図６Ａ】[0010]  図６Ａは、ある実施形態による、ＯＦＤＭを用いた様々なシンボル長を使用する測位測定信号の電力対周波数をそれぞれ表す一連のグラフのうちの１つを例示する。
【図６Ｂ】図６Ｂは、ある実施形態による、ＯＦＤＭを用いた様々なシンボル長を使用する測位測定信号の電力対周波数をそれぞれ表す一連のグラフのうちの１つを例示する。
【図６Ｃ】図６Ｃは、ある実施形態による、ＯＦＤＭを用いた様々なシンボル長を使用する測位測定信号の電力対周波数をそれぞれ表す一連のグラフのうちの１つを例示する。
【図６Ｄ】図６Ｄは、ある実施形態による、ＯＦＤＭを用いた様々なシンボル長を使用する測位測定信号の電力対周波数をそれぞれ表す一連のグラフのうちの１つを例示する。
【図６Ｅ】図６Ｅは、ある実施形態による、ＯＦＤＭを用いた様々なシンボル長を使用する測位測定信号の電力対周波数をそれぞれ表す一連のグラフのうちの１つを例示する。
【図６Ｆ】図６Ｆは、ある実施形態による、ＯＦＤＭを用いた様々なシンボル長を使用する測位測定信号の電力対周波数をそれぞれ表す一連のグラフのうちの１つを例示する。
【図７】[0011]  図７は、ある実施形態による、ＯＦＤＭ信号のためのシンボル長を選択するための方法のフロー図を例示する。
【図８】[0012]  図８は、ＵＥの実施形態を例示する。
【図９】[0013]  図９は、コンピュータシステムの実施形態を例示する。
【図１０】[0014]  図１０は、基地局の実施形態を例示する。
【図１１】[0015]  図１１は、受信機の機能ブロック図の実施形態を例示する。
【０００４】
[0016]  ある特定の例となるインプリメンテーションに従って、様々な図面における同様の参照番号および記号は、同様の要素を示す。加えて、要素の複数のインスタンスは、要素についての第１の番号の後に、ハイフンと第２の番号を続けることによって示され得る。例えば、要素１１０の複数のインスタンスは、１１０−１、１１０−２、１１０−３などとして示され得る。第１の番号のみを使用してこのような要素を参照するとき、要素のいずれのインスタンスも理解されるべきである（例えば、先の例における要素１１０は、要素１１０−１、１１０−２、および１１０−３を参照することになる）。
【詳細な説明】
【０００５】
[0017]  ユーザ機器（ＵＥ）のロケーションを決定するためのいくつかの例となる技法が本明細書で提示され、これは、ＵＥ（例えば、モバイルデバイスまたは移動局）、ロケーションサーバ（ＬＳ：location server）、基地局、および／または他のデバイスにおいてインプリメントされ得る。これらの技法は、第３世代パートナーシッププロジェクト（３ＧＰＰ（登録商標））、オープンモバイルアライアンス（ＯＭＡ）ロングタームエボリューション（ＬＴＥ（登録商標））測位プロトコル（ＬＰＰ）および／またはＬＰＰ拡張（ＬＰＰｅ）、Ｗｉ−Ｆｉ（登録商標）、全地球航法衛星システム（ＧＮＳＳ）、ならびに同様のものを含む、様々な技術および／または規格を利用して、様々なアプリケーションにおいて利用され得る。
【０００６】
[0018]  ＵＥは、モバイルフォン、スマートフォン、タブレットまたは他のモバイルコンピュータ、ポータブルゲームデバイス、パーソナルメディアプレーヤ、パーソナルナビゲーションデバイス、ウェアラブルデバイス、車載デバイス、あるいは他の電子デバイスなどの、モバイルデバイスを備え得る。ＵＥのポジション決定は、多種多様なシナリオにおいてＵＥおよび／または他のエンティティに有用であり得る。ＵＥの推定されたポジションを決定するための多くの既知の方法が存在し、ＵＥとＬＳとの間で測定値および／または他の情報を通信することを伴う方法を含む。
【０００７】
[0019]  測位方法は、無線ソースからの測位信号（positioning signal）の観測到着時間差（ＯＴＤＯＡ：Observed Time Difference Of Arrival）、擬似距離（pseudorange）、到来角（ＡｏＡ：angle-of-arrival）、放射角（ＡｏＤ：angle-of-departure）、受信電力レベル、および／またはラウンドトリップタイム（ＲＴＴ：round-trip time）に基づき得る。ＯＴＤＯＡでは、ＵＥは、基地局の１つまたは複数のペアによって送信された基準信号間の、基準信号時間差（ＲＳＴＤ：Reference Signal Time Differences）と呼ばれる時間差を測定する。基準信号は、ＬＴＥ測位基準信号（ＰＲＳ：Positioning Reference Signal）などの、測位のみを対象とする信号であり得、またはＬＴＥセル固有基準信号（ＣＲＳ：Cell-specific Reference Signal）もしくは５Ｇ追跡基準信号（ＴＲＳ：Tracking Reference Signal）などの、サービングセルタイミングおよび周波数捕捉も対象とする信号であり得る。ＵＥが、基地局の２つ以上の異なるペア（典型的に、各ペアにおける共通の基準基地局と、異なるネイバー基地局とを備える）間の２つ以上のＲＳＴＤを測定することが可能である場合、水平のＵＥロケーションは、基地局の相対タイミングおよびアンテナロケーションが知られている場合に取得され得る。いくつかのケースでは、ＯＦＤＭが使用され、信号（例えば、ＰＲＳ、ＣＲＳ、またはＴＲＳ）は、例えば、チャネル等化を単純化するために、サブキャリア周波数上に配置される。しかしながら、ドップラー効果は、第１の基地局（first base station）によってサポートされる１つのセルからの１つのサブキャリア周波数を、第２の基地局（second base station）によってサポートされる異なるセルのサブキャリア周波数と干渉させ、受信された信号（例えば、ＰＲＳ、ＣＲＳ、またはＴＲＳ）における雑音（noise）を生じさせ得る。このようなインターキャリア干渉（ＩＣＩ：inter-carrier-interference）は、ＵＥの位置特定および／またはポジション決定
の精度に影響を及ぼし得る。
【０００８】
[0020]  第５世代（５Ｇ）標準化は、ＯＴＤＯＡ、電力測定値、およびＲＴＴに基づく測位方法のためのサポートを含むことが予期される。本明細書で説明される技法、方法、およびシステムは、既存のネットワークインフラストラクチャに加えて、５Ｇワイヤレス通信ネットワークに適用され得る。
【０００９】
[0021]  本明細書で説明される実施形態は、モバイルネットワーク（mobile network）における測位決定に対するドップラー効果を緩和するために、ＯＦＤＭ信号をディスエンタングルすること（disentangling）によって、モバイルデバイスのポジションまたはロケーションを決定するための技法を対象とする。
【００１０】
[0022]  図１は、ある実施形態による、ＯＴＤＯＡベースの測位方法を使用して、ＵＥ１０５のポジションを決定するために５Ｇネットワークを利用し得る通信システム１００の図を例示する。ここで、通信システム１００は、ＵＥ１０５と、次世代（ＮＧ：Next Generation）無線アクセスネットワーク（ＲＡＮ：Radio Access Network）（ＮＧ−ＲＡＮ）１３５および５Ｇコアネットワーク（５ＧＣ）１４０を備える５Ｇネットワークとを備え、これは、ＯＴＤＯＡベースの測位を提供すると共に、ＵＥ１０５にデータおよび音声通信を提供し得る。５Ｇネットワークは、新無線（ＮＲ：New Radio）ネットワークとも呼ばれ得、ＮＧ−ＲＡＮ１３５は、５Ｇ  ＲＡＮまたはＮＲ  ＲＡＮと呼ばれ得、５ＧＣ１４０は、ＮＧコアネットワーク（ＮＧＣ）と呼ばれ得る。ＮＧ−ＲＡＮと５ＧＣの標準化は、３ＧＰＰにおいて進行中である。したがって、ＮＧ−ＲＡＮ１３５および５ＧＣ１４０は、３ＧＰＰからの５Ｇサポートについての現行または将来の規格に準拠し得る。通信システム１００は、ＧＮＳＳ衛星ビークル（ＳＶ）１９０からの情報をさらに利用し得る。通信システム１００の追加の構成要素が、以下で説明される。通信システム１００は、追加または代替の構成要素を含み得ることが理解されるであろう。
【００１１】
[0023]  図１は、様々な構成要素の一般化された例示のみを提供しており、それらのいずれかまたは全てが適宜に利用され得、その各々は、必要に応じて複製され得ることに留意されたい。具体的には、１つのＵＥ１０５のみが例示されているが、多くのＵＥ（例えば、数百個、数千個、数百万個など）が通信システム１００を利用し得ることが理解されるであろう。同様に、通信システム１００は、より多くの（またはより少ない）数のＳＶ１９０、ｇＮＢ１１０、ｎｇ−ｅＮＢ１１４、アクセスおよびモビリティ管理機能（ＡＭＦ：Access and Mobility Management Function）９５、外部クライアント１３０、および／または他の構成要素を含み得る。通信システム１００において様々な構成要素を接続する例示された接続は、データおよびシグナリング接続を備え、これは、追加の（中間）構成要素、直接的または間接的な物理的および／またはワイヤレス接続、および／または追加のネットワークを含み得る。さらに、構成要素は、所望の機能に依存して、再配置され、組み合わされ、分離され、置き換えられ、および／または省略され得る。
【００１２】
[0024]  ＵＥ１０５は、デバイス、モバイルデバイス、ワイヤレスデバイス、モバイル端末、端末、移動局（ＭＳ：mobile station）、セキュアユーザプレーンロケーション（ＳＵＰＬ：Secure User Plane Location）対応端末（ＳＥＴ）として、または何らかの他の名称によって呼ばれ、および／またはそれらを備え得る。さらに、上述されたように、ＵＥ１０５は、携帯電話、スマートフォン、ラップトップ、タブレット、ＰＤＡ、追跡デバイス、ナビゲーションデバイス、モノのインターネット（ＩｏＴ）デバイス、または何らかの他のポータブルまたは移動可能デバイスを含む、様々なデバイスのうちの任意のものに対応し得る。必ずしもではないが、典型的に、ＵＥ１０５は、モバイル通信のためのグローバルシステム（ＧＳＭ（登録商標））、符号分割多元接続（ＣＤＭＡ）、広帯域ＣＤＭＡ（ＷＣＤＭＡ（登録商標））、ロングタームエボリューション（ＬＴＥ）、高速パケットデータ（ＨＲＰＤ）、ＩＥＥＥ８０２．１１ＷｉＦｉ（Ｗｉ−Ｆｉとも呼ばれる）、Ｂｌｕｅｔｏｏｔｈ（登録商標）（ＢＴ）、ＷｉＭＡＸ（Worldwide Interoperability for Microwave Access）、（例えば、ＮＧ−ＲＡＮ１３５および５ＧＣ１４０を使用する）５Ｇ新無線（ＮＲ）などを使用するような、１つまたは複数の無線アクセス技術（ＲＡＴ：Radio Access Technology）を使用したワイヤレス通信をサポートし得る。ＵＥ１０５はまた、例えば、デジタル加入者回線（ＤＳＬ：Digital Subscriber Line）またはパケットケーブルを使用して他のネットワーク（例えば、インターネット）に接続し得るワイヤレスローカルエリアネットワーク（ＷＬＡＮ）を使用したワイヤレス通信をサポートし得る。これらのＲＡＴのうちの１つまたは複数の使用は、ＵＥ１０５が、（例えば、図１には示されていない５ＧＣ１４０の要素を介して、または、場合によっては、ゲートウェイモバイルロケーションセンター（ＧＭＬＣ：Gateway Mobile Location Center）１２５を介して）外部クライアント１３０と通信することを可能にし、および／または、外部クライアント１３０が、（例えば、ＧＭＬＣ１２５を介して）ＵＥ１０５に関するロケーション情報を受信することを可能にし得る。
【００１３】
[0025]  ＵＥ１０５は、ユーザが、オーディオ、ビデオ、データＩ／Ｏデバイスおよび／またはボディセンサ、ならびに別個のワイヤラインまたはワイヤレスモデムを用い得るパーソナルエリアネットワークなどにおける複数のエンティティを備え得るか、または単一のエンティティを備え得る。ＵＥ１０５のロケーションの推定値は、ロケーション、ロケーション推定値、ロケーションフィックス（location fix）、フィックス、ポジション、ポジション推定値、またはポジションフィックス（position fix）と呼ばれ得、地理的であり得、したがって、高度成分（例えば、平均海水面からの高さ、地表面、床面、または地下面（basement level）からの高さまたは深さ）を含むことも含まないこともあり得る、ＵＥ１０５についてのロケーション座標（例えば、緯度および経度）を提供する。代替として、ＵＥ１０５のロケーションは、都市（civic）ロケーションとして（例えば、郵便宛先または特定の部屋もしくは階などの建物内のある点もしくは小さい面積（area）の指定として）表され得る。ＵＥ１０５のロケーションはまた、ＵＥ１０５が何らかの確率または信頼性レベル（例えば、６７％、９５％など）で位置特定されることが予期される（地理的にまたは都市形式においてのいずれかで定義される）面積または体積（area or volume）として表され得る。ＵＥ１０５のロケーションはさらに、例えば、地理的にか、都市の用語でか、または地図、間取り図、もしくは建物平面図上で示される、ある点、面積、または体積への参照によって定義され得る既知のロケーションにおけるある原点に対して相対的に定義される相対Ｘ、Ｙ（および、オプションでＺ）座標または距離および方向を備える、相対ロケーションであり得る。本明細書に含まれる説明では、ロケーション（location）という用語の使用は、別途示されていない限り、これらの変形のうちの任意のものを備え得る。
【００１４】
[0026]  ＮＧ−ＲＡＮ１３５における基地局は、ＮＲノードＢを備え得、これは、より典型的には、ｇＮＢと呼ばれる。図１には、ｇＮＢ１１０−１と、１１０−２と、１１０−３との３つのｇＮＢが示されており、これらは、本明細書では、集合的かつ総称的にｇＮＢ１１０と呼ばれる。しかしながら、典型的なＮＧ  ＲＡＮ１３５は、数ダース、数百、または数千ものｇＮＢ１１０を備え得る。ＮＧ−ＲＡＮ１３５におけるｇＮＢ１１０のペアは、互いに接続され得る（図１には図示せず）。５Ｇネットワークへのアクセスは、ＵＥ１０５と、５Ｇ（ＮＲとも呼ばれる）を使用しているＵＥ１０５に代わって５ＧＣ１４０へのワイヤレス通信アクセスを提供し得るｇＮＢ１１０のうちの１つまたは複数との間のワイヤレス通信を介して、ＵＥ１０５に提供される。図１では、ＵＥ１０５のためのサービングｇＮＢは、ｇＮＢ１１０−１であると仮定されるが、ＵＥ１０５が別のロケーションに移動した場合、他のｇＮＢ（例えば、ｇＮＢ１１０−２および／またはｇＮＢ１１０−３）が、サービングｇＮＢとして機能し得、あるいはＵＥ１０５に追加のスループットおよび帯域幅を提供するセカンダリｇＮＢとして機能し得る。
【００１５】
[0027]  図１に示されるＮＧ−ＲＡＮ１３５における基地局（ＢＳ）はまた、あるいは代わりに、ｎｇ−ｅＮＢ１１４とも呼ばれる、次世代発展型ノードＢを含み得る。ｎｇ−ｅＮＢ１１４は、例えば、直接的に、または他のｇＮＢ１１０介しておよび／または他のｎｇ−ｅＮＢを介して間接的に、のいずれかで、ＮＧ−ＲＡＮ１３５における１つまたは複数のｇＮＢ１１０に接続され得る（図１には図示せず）。ｎｇ−ｅＮＢ１１４は、ＵＥ１０５にＬＴＥワイヤレスアクセスおよび／または発展型ＬＴＥ（ｅＬＴＥ）ワイヤレスアクセスを提供し得る。図１におけるいくつかのｇＮＢ１１０（例えば、ｇＮＢ１１０−２）および／またはｎｇ−ｅＮＢ１１４は、ＵＥ１０５からのまたは他のＵＥからの信号を受信できないが、ＵＥ１０５の測位を支援するために、支援データをブロードキャストし得、および／または、信号（例えば、本明細書で説明されるような測位測定信号）を送信し得る、測位専用ビーコンとして機能するように構成され得る。１つのｎｇ−ｅＮＢ１１４のみが図１に示されている一方で、以下の説明は、時として、複数のｎｇ−ｅＮＢ１１４の存在を仮定することに留意されたい。
【００１６】
[0028]  述べられたように、図１が５Ｇ通信プロトコルに従って通信するように構成されたノードを図示する一方で、例えば、ＬＰＰプロトコルまたはＩＥＥＥ８０２．１１ｘプロトコルなどの、他の通信プロトコルに従って通信するように構成されたノードが使用され得る。例えば、ＵＥ１０５にＬＴＥワイヤレスアクセスを提供する発展型パケットシステム（ＥＰＳ）では、ＲＡＮは、発展型ユニバーサルモバイルテレコミュニケーションズシステム（ＵＭＴＳ）地上無線アクセスネットワーク（Ｅ−ＵＴＲＡＮ）を備え得、これは、ＬＴＥワイヤレスアクセスをサポートする発展型ノードＢ（ｅＮＢ）を備える基地局を備え得る。ＥＰＳのためのコアネットワークは、発展型パケットコア（ＥＰＣ）を備え得る。この場合、ＥＰＳは、Ｅ−ＵＴＲＡＮプラスＥＰＣを備え得、ここで、Ｅ−ＵＴＲＡＮは、ＮＧ−ＲＡＮ１３５に対応し、ＥＰＣは、図１の５ＧＣ１４０に対応する。ＵＥ１０５の測位のサポートのために、本明細書で説明されるポジション測定信号は、このような他のネットワークに適用可能であり得る。
【００１７】
[0029]  ｇＮＢ１１０およびｎｇ−ｅＮＢ１１４は、ＡＭＦ１１５と通信し得、これは、測位機能のために、ロケーション管理機能（ＬＭＦ：Location Management Function）１２０と通信し得る。ＡＭＦ１１５は、セル変更およびハンドオーバを含む、ＵＥ１０５のモビリティをサポートし得、ＵＥ１０５へのシグナリング接続、および、場合によっては、ＵＥ１０５のためのデータおよび音声ベアラをサポートすることに参加し得る。ＬＭＦ１２０は、ＵＥ１０５がＮＧ−ＲＡＮ１３５にアクセスするとき、ＵＥ１０５の測位をサポートし得、観測到着時間差（ＯＴＤＯＡ）（これは、本明細書で説明される測位測定信号を利用し得る）およびその他などの測位方法をサポートし得る。ＬＭＦ１２０はまた、（例えば、ＡＭＦ１１５からまたはＧＭＬＣ１２５から受信される）ＵＥ１０５に関するロケーションサービス要求を処理し得る。ＬＭＦ１２０は、ＡＭＦ１１５および／またはＧＭＬＣ１２５に接続され得る。いくつかの実施形態では、ＵＥ１０５のロケーションの導出を含む、測位機能の少なくとも一部は、（例えば、ｇＮＢ１１０およびｎｇ−ｅＮＢ１１４などのワイヤレスノードによって送信されたポジション測定信号についての、ＵＥ１０５によって取得された信号測定値、および、例えば、ＬＭＦ１２０によって、ＵＥ１０５に提供される支援データを使用して）ＵＥ１０５において実行され得ることに留意されたい。
【００１８】
[0030]  ゲートウェイモバイルロケーションセンター（ＧＭＬＣ）１２５は、外部クライアント１３０から受信されるＵＥ１０５に関するロケーション要求をサポートし得る。ＧＭＬＣ１２５は、ＡＭＦ１１５によるＬＭＦ１２０への転送（forwarding）のために、ＡＭＦ１１５にこのようなロケーション要求を転送し得る。オプションで、ＧＭＬＣ１２５は、ＬＭＦ１２０にロケーション要求を直接転送し得る。（例えば、ＵＥ１０５についてのロケーション推定値を含む）ＬＭＦ１２０からのロケーション応答が、直接的にまたはＡＭＦ１１５を介してのいずれかで、ＧＭＬＣ１２５に同様に返され得、その後、ＧＭＬＣ１２５は、外部クライアント１３０に（例えば、ロケーション推定値を含む）ロケーション応答を返し得る。ＧＭＬＣ１２５は、図１では、ＡＭＦ１１５とＬＭＦ１２０との両方に接続されて示されているが、いくつかのインプリメンテーションでは、これらの接続のうちの１つのみが、５ＧＣ１４０によってサポートされ得る。
【００１９】
[0031]  述べられたように、通信システム１００が５Ｇ技術に関連して説明される一方で、通信システム１００は、（例えば、音声、データ、測位、および他の機能をインプリメントするために）ＵＥ１０５などのモバイルデバイスをサポートし、それらとインタラクトするために使用される、ＧＳＭ、ＷＣＤＭＡ、ＬＴＥなどのような、他の通信技術をサポートするためにインプリメントされ得る。いくつかのこのような実施形態では、５ＧＣ１４０は、異なるエアインターフェースを制御するように構成され得る。例えば、いくつかの実施形態では、５ＧＣ１４０は、５ＧＣ１４０における非３ＧＰＰインターワーキング機能（Ｎ３ＩＷＦ：Non-3GPP InterWorking Function、図１に図示せず）を使用して、ＷＬＡＮに接続され得る。例えば、ＷＬＡＮは、ＵＥ１０５のためのＩＥＥＥ８０２．１１ＷｉＦｉアクセスをサポートし得、１つまたは複数のＷｉＦｉ  ＡＰを備え得る。ここで、Ｎ３ＩＷＦは、ＷＬＡＮに、およびＡＭＦ１１５などの５ＧＣ１４０における他の要素に接続し得る。いくつかの他の実施形態では、ＮＧ−ＲＡＮ１３５と５ＧＣ１４０との両方が、他のＲＡＮおよび他のコアネットワークによって置き換えられ得る。例えば、ＥＰＳでは、ＮＧ−ＲＡＮ１３５は、ｅＮＢを含むＥ−ＵＴＲＡＮによって置き換えられ得、５ＧＣ１４０は、ＡＭＦ１１５の代わりにモビリティ管理エンティティ（ＭＭＥ：Mobility Management Entity）と、ＬＭＦ１２０の代わりに発展型サービングモバイルロケーションセンター（Ｅ−ＳＭＬＣ：Evolved Serving Mobile Location Center）と、ＧＭＬＣ１２５と同様であり得るＧＭＬＣとを含むＥＰＣによって置き換えられ得る。このようなＥＰＳでは、Ｅ−ＳＭＬＣは、Ｅ−ＵＴＲＡＮにおけるｅＮＢにロケーション情報を送り、また、それからロケーション情報を受信し得、ＵＥ１０５の測位をサポートし得る。これらの他の実施形態では、ＵＥ１０５の測位は、ｇＮＢ１１０、ｎｇ−ｅＮＢ１１４、ＡＭＦ１１５、およびＬＭＦ１２０について本明細書で説明される機能およびプロシージャが、いくつかのケースでは、代わりに、ｅＮＢ、ＷｉＦｉ  ＡＰ、ＭＭＥ、およびＥ−ＳＭＬＣなどの他のネットワーク要素に適用され得るという違いを伴って、５Ｇネットワークについて本明細書で説明されるものと類似の方法でサポートされ得る。
【００２０】
[0032]  通信システム１００によるＵＥ１０５のポジション決定は、典型的に、ＵＥ１０５と、複数の基地局１１０、１１４の各々との間の距離（例えば、ＵＥ１０５と、それぞれＧＮＢ１１０−１、１１０−２、および１１０−３との間の距離Ｄ１、Ｄ２、およびＤ３）を決定することと、ＵＥのロケーションを決定するために、三辺測量（trilateration）を使用することとを伴う。上述されたように、これらの距離を決定するために、ＵＥ１０５は、これらの基地局１１０、１１４によって送信されたポジション測定信号（本明細書で以下に説明される基準信号を含む）を測定し得る。例えば、ＲＳＴＤ測定値に基づくＯＴＤＯＡを使用するポジション決定は、典型的に、基地局１１０、１１４によるこれらの基準信号の送信の同期か、または基地局１１０、１１４のペア間のＲＴＴの何らかの他の方法で取得された知識のいずれかを必要とする。ＬＭＦ１２０は、典型的に、この知識を有しており、したがって、様々な基地局１１０、１１４のＵＥ１０５によって取られた測定値に基づく非同期ネットワークにおけるポジション決定は、例えば、ＬＭＦ１２０が、ＵＥ１０５から測定値を受信した後に、ＵＥ１０５のポジションを決定すること、またはＬＭＦ１２０からＲＴＴ情報を受信した後に、ＵＥ１０５がそれ自体のポジションを決定することを伴い得る。ＬＴＥネットワークでは、測位基準信号（ＰＲＳ）は、典型的に、ＯＴＤＯＡ測位のために、これらのＲＳＴＤ測定を行うために使用される。
【００２１】
[0033]  図２は、スロットを定義する多数のシンボルと、サブフレームを定義する１つ（１）または複数のスロットと、無線フレームを定義する多数のサブフレームとを示す、ＯＦＤＭ信号のハイレベル信号構造を例示する。例として、以下の説明は、参照のために提供される、ＰＲＳ測位機会を有するＬＴＥサブフレームシーケンスおよびその例を使用する。図２では、例示されるように、時間は、時間が左から右へ増大するように水平に（例えば、Ｘ軸上で）表され、一方、周波数は、周波数が下から上へ増大（または低減）するように垂直に（例えば、Ｙ軸上で）表される。図２に示されるように、ダウンリンクおよびアップリンク無線フレーム２１０が図示される。例として、ＬＴＥネットワークでは、ダウンリンクおよびアップリンク無線フレーム２１０は、それぞれ１０ｍｓの持続時間である。ＬＴＥの例を続けると、ダウンリンク周波数分割複信（ＦＤＤ）モードの場合、無線フレーム２１０は、それぞれ１ｍｓの持続時間の１０個のサブフレーム２１２に編成される。各サブフレーム２１２は、各々が０．５ｍｓの持続時間の（すなわち、スロット長（slot length）が０．５ｍｓである）２つのスロット２１４を備える。ＬＴＥでは、これらの無線フレーム２１０は、図１の基地局１１０、１１４と同様の基地局によって送信される。ＰＲＳは、エリア内の任意のＵＥによって検出され得、したがって、これらの基地局によって「ブロードキャスト（broadcast）」されたと考えられる。
【００２２】
[0034]  周波数領域では、利用可能な帯域幅は、均一に離間された直交サブキャリア２１６に分割され得る。例えば、１５ｋＨｚ間隔を使用する通常の長さのサイクリックプレフィックスの場合、サブキャリア２１６は、１２個のサブキャリアまたは「周波数ビン（frequency bins）」のグループにグループ化され得る。図示されていないが、別のオプションとして、１５ｋＨｚ間隔を使用する拡張された長さのサイクリックプレフィックスでは、サブキャリアは、１４個のサブキャリアまたは周波数ビンのグループにグループ化され得る。１２個のサブキャリア２１６を備える各グルーピングは、「リソースブロック（resource block）」（または、「物理リソースブロック」（ＰＲＢ：physical resource block））と称され、この例では、リソースブロックにおけるサブキャリアの数は、
【００２３】
【数１】
2021520489.tif 000003
【００２４】
と書かれ得る。所与のチャネル帯域幅について、送信帯域幅構成（transmission bandwidth configuration）２２２とも呼ばれる、各チャネル上で利用可能なリソースブロックの数２２２は、
【００２５】
【数２】
2021520489.tif 000004
【００２６】
として示される。例えば、上記の例における３ＭＨｚのチャネル帯域幅の場合、各チャネル上で利用可能なリソースブロックの数２２２は、
【００２７】
【数３】
2021520489.tif 000005
【００２８】
によって与えられる。
【００２９】
[0035]  したがって、リソースブロックは、周波数および時間リソースの単位として説明され得る。ＬＴＥの例では、リソースブロックは、無線フレーム２１０の１つのサブフレーム２１２（２つのスロット２１４）と、１２個のサブキャリアとを備える。各スロット２１４は、その間に基地局（ダウンリンク（ＤＬ）無線フレームの場合）またはＵＥ（アップリンク（ＵＬ）無線フレームの場合）がＲＦ信号を送信し得る、６個（または、いくつかのケースでは、ＬＴＥネットワークでは７個）の期間、または「シンボル」を備える。１２×１２または１４×１２グリッドにおける各１サブキャリア×１シンボルのセルは、「リソース要素」（ＲＥ：resource element）を表し、これは、フレームの最小の個別部分（smallest discrete part）であり、物理チャネルまたは信号からのデータを表す単一の複素数値を含む。
【００３０】
[0036]  ＰＲＳのような信号は、測位「機会（occasions）」にグループ化される特殊な測位サブフレーム（special positioning sub-frames）において送信され得る。例えば、ＬＴＥでは、ＰＲＳ機会は、連続した測位サブフレームの数Ｎ２１８を備え得、ここで、数Ｎは、１から１６０の間であり得る（例えば、値１、２、４、および６、ならびに他の値を含み得る）。基地局によってサポートされるセルのためのＰＲＳ機会は、ミリ秒（またはサブフレーム）インターバルの、数Ｔによって示されるインターバル２２０で周期的に生じ得、ここで、Ｔは、５、１０、２０、４０、８０、１６０、３２０、６４０、または１２８０に等しくなり得る。例として、図２は、ＰＲＳ機会の周期性を例示し、ここで、Ｎは、４に等しく、Ｔは、２０以上である。いくつかの実施形態では、Ｔは、連続したＰＲＳ機会の開始の間のサブフレーム数によって測定され得る。
【００３１】
[0037]  ＰＲＳ（Positioning Reference Signal）は、予め定義された帯域幅を用いて展開（deployed）され得、これは、他のＰＲＳ構成パラメータ（例えば、Ｎ、Ｔ、任意のミューティングおよび／または周波数ホッピングシーケンス、ＰＲＳ  ＩＤ）およびポジション決定情報と共に、ロケーションサーバからサービング基地局を介してＵＥに提供され得る。一般的に言えば、ＰＲＳのために割り振られた帯域幅が多いほど、ポジション決定はより正確になり、したがって、パフォーマンスとオーバーヘッドとの間には、トレードオフが存在する。
【００３２】
[0038]  ５Ｇ規格では、無線フレームは、図２に例示されたＬＴＥのための構造と同様になることが予想されるが、ある特定の特性（例えば、タイミング、利用可能な帯域幅など）は、異なり得る。加えて、ＰＲＳにとって代わる新しいポジション測定信号の特性は、この新しい基準信号が、ＰＲＳの現在の特性以上に、正確な測定を提供すること、マルチパスに対してロバスト（robust）であること、セル間の高いレベルの直交性およびアイソレーションを提供すること、ならびに比較的低いＵＥ電力を消費することを可能にするために、同様に異なり得る。
【００３３】
[0039]  図３Ａは、直交周波数分割多重化（ＯＦＤＭ）を使用してＵＥによって受信される測位測定信号の振幅対周波数ビンを表すグラフ３００を例示する。グラフ３００は、Ｘ軸上の−４ないし４の周波数ビンにわたるＹ軸上の振幅を示す。
【００３４】
[0040]  前述されたように、測位方法は、無線ソースからの測位信号の観測到着時間差（ＯＴＤＯＡ）、受信信号電力、およびラウンドトリップタイム（ＲＴＴ）に基づき得る。ＯＴＤＯＡでは、ＵＥは、無線信号ソース（例えば、基地局）の１つまたは複数のペアによって送信された基準信号間の、基準信号時間差（ＲＳＴＤ：Reference Signal Time Differences）と呼ばれる時間差を測定する。各基地局が特定の時間において指定されたサブキャリア周波数上で送信し得るように、直交周波数分割多重化（ＯＦＤＭ）が使用され得る。
【００３５】
[0041]  図２は、ＯＦＤＭを説明する際に有用である。図２では、利用可能な帯域幅は、均一に離間された直交サブキャリア２１６に分割される。各均一に離間された直交サブキャリア２１６は、周波数ビンまたは定義されたサブキャリア周波数間隔（subcarrier frequency spacing）と見なされ得る。例えば、各周波数ビン（すなわち、定義されたサブキャリア周波数間隔）は、１５ｋＨｚであり得る。このような例では、各直交サブキャリア２１６は、利用可能な帯域幅の１５ｋＨｚの周波数帯域である。各基地局は、指定されたサブキャリア２１６を有し得、これにより、基地局は、指定されたサブキャリア２１６上で信号を送信する。基地局は、信号を変調し、受信側のＵＥは、高速フーリエ変換アルゴリズムを使用して、信号を復調し得る。
【００３６】
[0042]  時間領域（time domain）では、基地局は、指定されたシンボル中に信号を送信する。シンボルは、任意の所与の基地局が、例えば、ＵＥ（例えば、ＵＥ１０５）によって受信され得る、信号を送信し得る特定の時間期間として説明され得る。（ＬＴＥネットワークでのように）７個のシンボルの例を使用すると、各スロット（例えば、スロット２１４）において７個のシンボルが存在する。各スロットは、所定の数のシンボルを有し、これは、ロケーションサーバまたはマスタコントローラ（例えば、５ＧＣ１４０）によって決定され得る。ＬＴＥの例では、スロットは、０．５ｍｓであるので、各シンボルは、０．０７ｍｓ（７１．４μＳｅｃ）（すなわち、０．５割る７）である。したがって、シンボル長は、０．０７ｍｓ（７１．４μＳｅｃ）となる。７個のシンボルのこの例では、ある機会におけるスロットのためのシンボルは、「シンボル１」、「シンボル２」、「シンボル３」、「シンボル４」、「シンボル５」、「シンボル６」、および「シンボル７」として想定され得るとともに、シンボル１が、最初に送信されるシンボルであり、シンボルの各々は、それ以降からシンボル７まで順序付けられている。使用される特定の時間値は、例えば、説明を目的としたものである。スロットは、任意の時間単位とすることができ、スロットは、任意の数のシンボルを含み得る。
【００３７】
[0043]  したがって、基地局が指定されたサブキャリア上で指定されたシンボル中に信号を送信したとき、ＵＥがその信号を受信し得る。いくつかのネットワーク構成では、ロケーションサーバが、各基地局についての指定されたサブキャリアおよびシンボルを定義する情報をＵＥに提供し得る。ロケーションサーバから受信された情報に基づいて、ＵＥは、所与の基地局からの信号をリッスン（listen）し得る。例えば、基地局がシンボル２およびサブキャリア周波数帯域（subcarrier frequency band）０〜１５ｋＨｚを指定された場合、ＵＥは、（指定されたシンボル中の）指定された時間において、そのサブキャリア周波数帯域上で信号をリッスンし得る。さらに、様々な基地局が、異なるサブキャリアおよび／またはシンボルを割り当てられるので、ＵＥは、多数の基地局からの信号を識別し得る。
【００３８】
[0044]  図３Ａに戻ると、グラフ３００は、ＯＦＤＭを使用して受信される７つの信号を表す、７つのｓｉｎｃ形状関数（sinc-shaped function）３０５、３１０、３１５、３２０、３２５、３３０、および３３５を図示する。これら信号は、異なる周波数ビン（例えば、サブキャリア２１６）上で受信される。これら信号は、同じシンボル（すなわち、同じ時間）中に受信され得るが、変調および異なる周波数ビンにより、信号間の干渉は制限される。しかしながら、本明細書で説明されるように、ＵＥ（例えば、モバイルフォン）の移動および環境要因が、１つの信号の別の信号に対する干渉を増大させ得る。
【００３９】
[0045]  グラフ３００における各関数の振幅は、Ｙ軸上で表され、関数の周波数ビンは、グラフ３００のＸ軸上で表されている。関数３０５は、周波数ビン−３において１のピーク振幅を有する。（グラフ３００によって図示されるような）理想的なＯＦＤＭ配置（OFDM arrangement）では、他の全ての関数３１０、３１５、３２０、３２５、３３０、および３３５は、周波数ビン−３において０（ヌル）の振幅を有する。関数３１０は、周波数ビン−２において１のピーク振幅を有し、他の全ての関数３０５、３１５、３２０、３２５、３３０、および３３５は、周波数ビン−２において０（ヌル）の振幅を有する。このパターンは、各周波数ビンにおいて継続する。１つの関数がピークに達するとき、他の全ての関数がヌルになるこの配置は、その関数によって表される信号が、受信側のＵＥによって受信および解釈されることを可能にする。さらに、グラフ３００によって図示されるように、従来のＯＦＤＭでは、次の関数は、前の関数の第１のヌルにおいてピークに達する。例えば、関数３０５は、周波数ビン−３においてピークに達し、関数３０５についてのピーク後の第１のヌルは、周波数ビン−２において起こる。周波数ビン−２（関数３０５の第１のヌル）において、関数３１０がピークに達する。同様に、周波数ビン−１（関数３１０の第１のヌル）において、関数３１５がピークに達する。さらに、関数３０５は、周波数ビン−３において送信される信号を表し、関数３１０は、周波数ビン−２において送信される信号を表す。周波数ビン−３および周波数ビン−２は、隣接するサブキャリア（例えば、０〜１５ｋＨｚおよび１５〜３０ｋＨｚ）である。したがって、グラフ３００に示されるように、隣接するサブキャリアにおけるこれら信号は、他方がピークに達した後の（または前の）第１のヌルにおいてピークに達する関数をもたらす。
【００４０】
[0046]  関数３０５、３１０、３１５、３２０、３２５、３３０、および３３５は、ｓｉｎｃ形状である。このようなｓｉｎｃ形状は、この例では振幅１の、ピーク（すなわち、メインローブ（main lobe））を有し、その後、関数が０（ヌル）振幅に消散する（dissipates）まで、中間のヌル（０）を伴って、この例では、最大で略−０．２〜０．１の追加の振幅と共に、０の振幅へと急速に消散する。ｓｉｎｃ形状関数は、式ｓｉｎｃ（ｘ）＝ｓｉｎ（πｘ）／（πｘ）から得られる。別の言い方をすれば、ｓｉｎｃ形状関数は、１／ｘとして振幅が減衰する正弦波である。ｓｉｎｃ形状関数と矩形パルスは、フーリエ変換ペアである。時間領域における矩形パルスは、周波数領域においてｓｉｎｃ形状関数をもたらす。ｘがゼロ（０）に近づくにつれて、ｓｉｎｃの値は１（１）に近づく（すなわち、ｓｉｎｃ（０）＝１）。理想的なｓｉｎｃ関数（例えば、雑音またはドップラー効果なし）では、特徴（trait）は、ゼロ交差（zero crossing）のロケーションである。ゼロ交差は、整数個の正弦波のサイクル（an integer number of the sinusoid’s cycles）が、矩形パルスに均等に収まる（fit）周波数において生じる。これは、図３Ａのｓｉｎｃ形状関数３０５、３１０、３１５、３２０、３２５、３３０、および３３５に図示されている。しかしながら、実際に見られるように、ドップラー効果および他の雑音は、ｓｉｎｃ形状関数のゼロ交差を、ＵＥによって受信される他の信号によって表される他のｓｉｎｃ形状関数に関連して変化させ得、これは、図３Ｂに関して図示されおよびより詳細に説明される。
【００４１】
[0047]  各周波数ビンは、グラフ３００に示されるように、１つの直交サブキャリアを表し得る。図２に関して説明されたように、利用可能な帯域幅は、均一に離間された直交サブキャリアに分割され得る。例えば、各周波数ビンは、１５ｋＨｚであり得る。例えば、３０ｋＨｚ、６０ｋＨｚ、１２０ｋＨｚ、２４０ｋＨｚ、４８０ｋＨｚなどを含む、他の周波数ビンが使用され得る。周波数ビンは、任意の好適な周波数であり得、５Ｇネットワークでは、周波数ビンは、上記の例よりも大幅に（substantially）大きくなり得る。
【００４２】
[0048]  グラフ３００によって図示されるシナリオは、ＯＦＤＭの理想的な例である。実際には、いくつかの要因が、基地局からのＵＥにおける信号の受信に影響を及ぼし得る。例えば、電磁干渉、距離、および基地局とＵＥとの間の信号を妨害する物体などの環境要因が、信号受信に影響を及ぼし得る。さらに、ＵＥが移動している場合、ドップラー効果が、信号受信に影響を及ぼし得る。例えば、ドップラー効果は、１つの関数を、別の関数から離れるようにまたは別の関数に近づくようにシフトさせ得、これにより、１つの関数のピークは、図３Ｂに見られるように、予期される周波数値に位置しない（does not fall on）。
【００４３】
[0049]  図３Ｂは、ＯＦＤＭを使用してＵＥによって受信される測位測定信号の振幅対周波数ビンを表すグラフ３５０を例示する。しかしながら、図３Ａのグラフ３００とは異なり、グラフ３５０は、ドップラー効果によって影響を受ける信号の例を図示する。グラフ３５０は、Ｘ軸上の−４ないし４の周波数ビンにわたるＹ軸上の振幅を示す。
【００４４】
[0050]  グラフ３５０を使用したドップラー効果の影響の例として、関数３６０は、それが周波数ビン−３においてヌル（null）でなく、および／または、そのピークが、周波数ビン−２に当たらない（does not land at）ようにオフセットされ得る。代わりに、例えば、示されるように、関数３６０は、右にシフトされ得る。その場合、関数３６０によって表される信号は、関数３６５によって表される信号に対して雑音または干渉を引き起こし得、なぜなら、関数３６５が、ピークに達するところで、関数３６０はヌルでなく、したがって、関数３６０からの振幅が、関数３６５の振幅の振幅に加えて、ＵＥにおいて合わさり（register）得るからである。
【００４５】
[0051]  従来のＯＦＤＭでは、シンボル長とサブキャリア周波数間隔との間に厳密な反比例関係が存在する。加えて、ある固定された時間期間（例えば、ＬＴＥにおける固定された時間期間は、１スロットである）にわたって、整数個のサイクルを、各サブキャリアについて完了するという要件が存在する。この配置は、グラフ３００および３５０によって図示される信号応答をもたらす。
【００４６】
[0052]  図４は、周波数間隔値に対するサブフレーム当たりのスロット数のオプションの例示的な表４００を例示する。図２および図３に関して説明されたように、シンボル長は、スロットにおけるシンボル数に基づいて決定される。前述された例では、７個のシンボルを有する０．５ｍｓのスロットは、０．０７ｍｓ（０．５／７ｍｓ）の長さを有する各シンボルをもたらす。代替として、スロット（ここで、スロットは、定義された時間期間である）におけるシンボル数は、シンボル長によって決定され得る。例えば、０．０７ｍｓ（７１．４μＳｅｃ）のシンボル長を有する０．５ｍｓのスロットは、７個のシンボル（０．５／０．０７）を有する。
【００４７】
[0053]  ＬＴＥネットワークのための従来のＯＦＤＭでは、シンボル長とサブキャリア周波数間隔との間の反比例関係は、各スロット内の最大シンボル数を考慮する（allows for）。例えば、サブキャリア周波数間隔が１５ｋＨｚであるとき、サブフレーム当たり最大１４個のシンボルが使用され得る。１ｍｓの時間フレーム（ＬＴＥにおけるサブフレーム持続時間）において、１５ｋＨｚのサブキャリアに対するシンボル数を、１４を超えて増大させることは、多すぎるシンボル（シンボル持続時間が短すぎること）をもたらす。シンボル持続時間が短すぎるとき、シンボル受信は、システム内で実現可能ではない。算出されると、１ｍｓの時間フレームにおける１５ｋＨｚのサブキャリアに対する１４個のシンボルは、０．０７ｍｓ（７１．４μＳｅｃ）のシンボル長をもたらし、これは、より短いシンボル長が実現可能ではないので、最小シンボル長（minimum symbol length）である。
【００４８】
[0054]  図４は、ＬＴＥネットワークに基づく例示的な表を図示する。表４００では、サブキャリア周波数間隔オプションは、左から右へと増大する。上から下へと、サブフレーム当たりのスロット数が増大する。例示的な表４００では、スロットは、１４個のシンボルを含む。そのため、ボックス４０２は、１５ｋＨｚのサブキャリア間隔についての従来のＯＦＤＭ値を示す。スロット当たり１４個のシンボルのこのシナリオでは、１つのスロットのみが、サブフレームにおいて使用され得る。１ｍｓのサブフレームの場合、シンボル持続時間は、０．０７ｍｓ（７１．４μＳｅｃ）である。ボックス４０４、４０６、４０８、４１０、および４１２は、上記で説明されたように、シンボル長が実現可能であるには短すぎるので、１ｍｓのサブフレームでの１５ｋＨｚのサブキャリア間隔については、利用可能なオプションではない。例として、サブフレーム当たり２つのスロットは、１５ｋＨｚのサブキャリア内で１ｍｓにわたって送信される２８個のシンボルに等しくなる。シンボル長は、０．０３６ｍｓ（３５．７μＳｅｃ）となる。このような構成は、１５ｋＨｚのサブキャリア上では、サポート可能ではない。
【００４９】
[0055]  ３０ｋＨｚのサブキャリア周波数間隔の場合、サブフレーム当たり２つのスロットが、サポートされる最大スロット数であり、なぜなら、それは、最小シンボル長を考慮するからである。３０ｋＨｚのサブキャリア上では、０．０３６ｍｓ（３５．７μＳｅｃ）のシンボル長がサポートされる。したがって、ボックス４１６に示されるように、スロット当たり１４個のシンボルを有するサブフレーム当たり２つのスロットおよび１ｍｓのサブフレームが、３０ｋＨｚのサブキャリアによってサポートされる最大値である。ボックス４１８、４２０、４２２、および４２４は、サポートされない。従来のＯＦＤＭでは、ボックス４１６に示されるように、サブフレーム当たり２つのスロットが使用される。ボックス４１４に示されるようなサブフレーム当たり１つのスロットのオプションが使用され得る。このような構成を使用することは、３０ｋＨｚのサブキャリア上で、０．０７ｍｓ（７１．４μＳｅｃ）のシンボル長をもたらす。
【００５０】
[0056]  ６０ｋＨｚのサブキャリア周波数間隔の場合、サブフレーム当たり最大４つのスロットがサポートされる。６０ｋＨｚのサブキャリア上では、０．０１８ｍｓのシンボル長がサポートされる。したがって、ボックス４３０に示されるように、スロット当たり１４個のシンボルを有するサブフレーム当たり４つのスロットおよび１ｍｓのサブフレームが、６０ｋＨｚのサブキャリアによってサポートされる最大値である。ボックス４３２、４３４、および４３６は、サポートされない。従来のＯＦＤＭでは、ボックス４３０に示されるように、サブフレーム当たり４つのスロットが使用される。ボックス４２６に示されるようなサブフレーム当たり１つのスロットのオプション、またはボックス４２８に示されるようなサブフレーム当たり２つのスロットのオプションが使用され得る。サブフレーム当たり２つのスロットを使用することは、６０ｋＨｚのサブキャリア上で０．０３６ｍｓ（３５．７μＳｅｃ）のシンボル長をもたらし、サブフレーム当たり１つのスロットを使用することは、６０ｋＨｚのサブキャリア上で０．０７ｍｓ（７１．４μＳｅｃ）のシンボル長をもたらす。
【００５１】
[0057]  同様の結果が、１２０ｋＨｚ、２４０ｋＨｚ、および４８０ｋＨｚのサブキャリア周波数間隔について示されている。４８０ｋＨｚのサブキャリア周波数間隔を見ると、従来のＯＦＤＭでは、ボックス４７２に示されるように、サブフレーム当たり３２個のスロットが使用される。１つのスロット（ボックス４６２）、２つのスロット（ボックス４６４）、４つのスロット（ボックス４６６）、８つのスロット（ボックス４６８）、および１６個のスロット（ボックス４７０）についてのオプションが使用され得る。シンボル長を拡張すること（サブフレーム当たりのスロット数を低減させること）は、図５Ａ〜図５Ｆおよび図６Ａ〜図６Ｆに関してさらに説明されるように、ポジション測定信号のＵＥ測定値に対するドップラー効果を緩和し得る。
【００５２】
[0058]  任意の信号ソースからのＯＦＤＭ信号は、図３Ａに示されるように、１つのサブキャリアのピークを、他のサブキャリアのヌルに揃える（aligns）ように設計される。理想的には、これは、イントラセルインターキャリア干渉（ＩＣＩ）レベルがゼロであることを意味する。しかしながら、図３Ｂおよび図５Ａ〜図５Ｆ全体にわたって説明され、およびそれらを参照して説明されるように、第１の基地局によってサポートされる１つのセルからのサブキャリアは、例えば、ドップラー効果および／またはセル送信チェーン間の周波数オフセットにより、第２の基地局によってサポートされる別のセル（すなわち、インターセル）からのサブキャリアと揃わないことがあり得る。このインターセルＩＣＩの大きさは、２つの信号間の周波数シフトの量、信号のｓｉｎｃ形状サブキャリア間の公称間隔、および信号のｓｉｎｃ形状サブキャリアの公称のヌルからヌルへの間隔（the nominal null-to-null spacing）に依存し、ここで、ｓｉｎｃ形状サブキャリアのヌルからヌルへの間隔は、その持続時間によって決定される。図３Ｂおよび図５Ａ〜図５Ｆに関して説明および示されるように、イントラセルＩＣＩは、１つのセルからの信号を表す第１のｓｉｎｃ形状関数（first sinc-shaped function）が、別のセルからの信号を表す第２のｓｉｎｃ形状関数（second sinc-shaped function）に向かって（またはそれから離れて）移動することによって、グラフにおいて見られ得る。第１のｓｉｎｃ形状関数が、第２の（隣接する）ｓｉｎｃ形状関数に向かって（またはそれから離れて）移動するので、第１のｓｉｎｃ形状関数は、第２のｓｉｎｃ形状関数のピークにおいてヌルではない。ドップラー効果による周波数シフト量ΔＦは、ドップラー方程式（すなわち、ΔＦ／Ｆｏ＝ΔＶ／ｃ）から求められ得る。オプションで、インターセルＩＣＩのレベルは、第１のサブキャリアが、−１周波数ビンから１周波数ビンまでの周波数ビンに基づく周波数の範囲にわたってシフトされ、ΔＦによって乗算されるので、隣接するサブキャリアロケーション上のｓｉｎｃ形状サブキャリアの大きさを観測することによって決定され得る。所与のサブキャリア周波数間隔を有する信号については、異なる利用可能なシンボル長は、ドップラー効果方程式を使用し、上記で説明されたように、周波数の範囲にわたって第１のサブキャリアをシフトすることによって、各利用可能なシンボル長についてのインターセルＩＣＩのレベルを識別して、（例えば、図４の表と同様の表を使用して）評価され得る。オプションで、最も低いレベルのインターセルＩＣＩを有するシンボル長が、使用のために選択され得る。
【００５３】
[0059]  図５Ａ〜図５Ｆは、ＯＦＤＭを用いた様々なシンボル長を使用する測位測定信号の振幅対周波数をそれぞれ表す一連のグラフを例示する。図５Ａを始めとして、グラフ５００は、サブキャリア周波数間隔が１５ｋＨｚであり、サブフレーム当たり１つのスロットがあり、各サブフレームが１ｍｓであり、スロット当たり１４個のシンボルがある場合の、ＵＥにおいて受信される測位測定信号の振幅対周波数を図示する。この構成は、厳密な（または従来の）ＯＦＤＭと見なされる。示されるように、関数５０２は、−３０ｋＨｚにおいてピークに達し、−１５ｋＨｚ、０ｋＨｚ、およびそれ以降は１５ｋＨｚごとにヌルになる。関数５０４は、−１５ｋＨｚ（関数５０２の第１のヌル）においてピークに達し、０ｋＨｚ、１５ｋＨｚ、およびそれ以降は１５ｋＨｚごとにヌルになる。関数５０６は、０ｋＨｚ（関数５０４の第１のヌル）においてピークに達し、１５ｋＨｚ、３０ｋＨｚ、およびそれ以降は１５ｋＨｚごとにヌルになる。関数５０８および５１０も、同様に挙動（behave）する。
【００５４】
[0060]  グラフ５００において表される信号のために使用されるシンボル長は、１ｍｓ／１４シンボルまたは０．０７ｍｓ（７１．４μＳｅｃ）である。これは、このサブキャリア周波数間隔に対して利用可能な最小シンボル長（最大シンボル数）である。図４では、これは、ボックス４０２によって表されている。したがって、グラフ５００は、１５ｋＨｚの周波数間隔およびスロット当たり１４個のシンボルについての従来のＯＦＤＭを図示する。
【００５５】
[0061]  グラフ５００に見られるように、関数５０２、５０４、５０６、５０８、または５１０のいずれかに、ヌルが各１５ｋＨｚの増分にちょうど位置しないようなオフセットを持たせ得る任意のドップラー効果または他の要因は、その増分においてピークに達する信号にかなりの雑音（substantial noise）を引き起こし得る。ピークは互いに近接しているので、比較的小さいオフセットでさえ、信号を区別することを困難にし得る。例えば、関数５０６のピークに向かって、関数５０４についての２ｋＨｚの小さいオフセットが存在する場合、グラフ５００は、関数５０４からの振幅を関数５０６のピークにおいて表示することになる。したがって、関数５０４によって表される信号は、関数５０６によって表される信号と干渉し得る。その結果、ＵＥは、関数５０６によって表される信号の不正確な読み取りに基づいて、そのポジションを誤って決定し得ることになり得る。
【００５６】
[0062]  図５Ｂに移ると、グラフ５１２は、ｓｉｎｃ形状関数５１４、５１６、５１８、５２０、および５２２を図示する。各関数は、サブキャリア周波数間隔が３０ｋＨｚであり、サブフレーム当たり１つのスロットがあり、各サブフレームが１ｍｓであり、スロット当たり１４個のシンボルがある場合の、ＵＥにおいて受信される測位測定信号の振幅対周波数を図示する。示されるように、関数５１４は、−６０ｋＨｚにおいてピークに達し、−４５ｋＨｚ、−３０ｋＨｚ、およびそれ以降は１５ｋＨｚごとにヌルになる。関数５１６は、−３０ｋＨｚ（関数５１４の第２のヌル）においてピークに達し、−１５ｋＨｚ、０ｋＨｚ、およびそれ以降は１５ｋＨｚごとにヌルになる。関数５１８は、０ｋＨｚ（関数５１６の第２のヌル）においてピークに達し、１５ｋＨｚ、３０ｋＨｚ、およびそれ以降は１５ｋＨｚごとにヌルになる。関数５２０および５２２も、同様に挙動する。
【００５７】
[0063]  グラフ５１２において表される信号のために使用されるシンボル長は、１ｍｓ／１４シンボルまたは０．０７ｍｓ（７１．４μＳｅｃ）である。図４では、これは、ボックス４１４によって表されている。スロット当たり１４個のシンボルおよび１ｍｓのサブフレームを有する３０ｋＨｚのサブキャリア周波数間隔についての最小シンボル長は、サブフレーム当たり２つのスロット（０．０３６ｍｓ（３５．７μＳｅｃ））である。これは、図４において、ボックス４１６によって表されている。したがって、シンボル長は、このサブキャリア周波数間隔に対して利用可能な最小シンボル長よりも長い。したがって、グラフ５１２は、３０ｋＨｚの周波数間隔および１ｍｓのサブフレームでのスロット当たり１４個のシンボルについてのディスエンタングルされたＯＦＤＭ（disentangled OFDM）を図示する。
【００５８】
[0064]  グラフ５１２に見られるように、関数５１４、５１６、５１８、５２０、または５２２のいずれかに、ヌルが各１５ｋＨｚの増分にちょうど位置しないようなオフセットを持たせ得る任意のドップラー効果または他の要因は、その増分においてピークに達する信号に雑音を引き起こし得る。しかしながら、いずれの関数もピークに達することのない、各ピーク間の１つのヌルが存在するので、任意のオフセットの影響は劇的に低減される。グラフ５００（または図３Ａのグラフ３００）に図示されるように、ピークが第１のヌルに収まる（fall in）とき、各関数のｓｉｎｃ形状により、ピークまでの振幅における急速な上昇は、オフセット関数からの最大１までの振幅が生じ得ることを意味し得る。これはまれであり得る一方で、オフセット関数からの０．２または０．３の振幅をもたらすオフセットは一般的であり得る。しかしながら、グラフ５１２に示されるように、ピークがヌルをスキップするときの小さいオフセットは、大幅により小さい影響を有することになる。例えば、関数５１６についての２ｋＨｚの小さいオフセットは、関数５１８のピーク上の関数５１６によって表される信号からの振幅として示され得る。しかしながら、第２のヌルにおいて、関数５１６のピーク振幅は、わずか０．２ｋＨｚであり得る。したがって、小さいオフセットは、関数５１６から関数５１８へのわずか振幅０．０５の振幅干渉をもたらし得る。このより小さい干渉は、ＵＥが、関数５１８によって表される信号の不正確な読み取りに基づいて、そのポジションを誤って決定することを引き起こす可能性が低い。
【００５９】
[0065]  図５Ｃに移ると、グラフ５２４は、ｓｉｎｃ形状関数５２６、５２８、５３０、５３２、および５３４を図示する。各関数は、サブキャリア周波数間隔が６０ｋＨｚであり、サブフレーム当たり１つのスロットがあり、各サブフレームが１ｍｓであり、スロット当たり１４個のシンボルがある場合の、ＵＥにおいて受信される測位測定信号の振幅対周波数を図示する。示されるように、関数５２６は、−１２０ｋＨｚにおいてピークに達し、−１０５ｋＨｚ、−９０ｋＨｚ、−７５ｋＨｚ、−６０ｋＨｚ、およびそれ以降は１５ｋＨｚごとにヌルになる。関数５２８は、−６０ｋＨｚ（関数５２６の第４のヌル）においてピークに達し、−４５ｋＨｚ、−３０ｋＨｚ、−１５ｋＨｚ、０ｋＨｚ、およびそれ以降は１５ｋＨｚごとにヌルになる。関数５３０は、０ｋＨｚ（関数５２８の第４のヌル）においてピークに達し、１５ｋＨｚ、３０ｋＨｚ、４５ｋＨｚ、６０ｋＨｚ、およびそれ以降は１５ｋＨｚごとにヌルになる。関数５２０および５２２も、同様に挙動する。
【００６０】
[0066]  グラフ５２４において表される信号のために使用されるシンボル長は、１ｍｓ／１４シンボルまたは０．０７ｍｓ（７１．４μＳｅｃ）である。これは、図４において、ボックス４２６によって表されている。スロット当たり１４個のシンボルおよび１ｍｓのサブフレームを有する６０ｋＨｚのサブキャリア周波数間隔についての最小シンボル長は、サブフレーム当たり４つのスロット（０．０１８ｍｓ）である。これは、図４において、ボックス４３０によって表されている。したがって、シンボル長は、このサブキャリア周波数間隔に対して利用可能な最小シンボル長よりも長い。したがって、グラフ５２４は、６０ｋＨｚの周波数間隔および１ｍｓのサブフレームでのスロット当たり１４個のシンボルについてのディスエンタングルされたＯＦＤＭを図示する。
【００６１】
[0067]  グラフ５２４に見られるように、関数５２６、５２８、５３０、５３２、または５３４のいずれかに、ヌルが各１５ｋＨｚの増分にちょうど位置しないようなオフセットを持たせ得る任意のドップラー効果または他の要因は、その増分においてピークに達する信号に雑音を引き起こし得る。しかしながら、いずれの関数もピークに達することのない、各ピーク間の３つのヌルが存在するので、任意のオフセットの影響は、グラフ５１２のものからでさえ、劇的に低減される。第４のヌルにおいて、関数５２６のピーク振幅は、わずか０．１ｋＨｚであり得る。したがって、小さいオフセットは、関数５２６から関数５２８へのわずか振幅０．０２の振幅干渉をもたらし得る。このより小さい干渉は、ＵＥが、関数５２８によって表される信号の不正確な読み取りに基づいて、そのポジションを誤って決定することを引き起こす可能性がさらに低い。むしろ、ＵＥは、関数５２６、５２８、５３０、５３２、および５３４によって表されるような、基地局からの信号に基づいて、そのポジションを正しく決定する可能性が高い。
【００６２】
[0068]  図５Ｄに移ると、グラフ５３６は、ｓｉｎｃ形状関数５３８、５４０、５４２、５４４、および５４６を図示する。各関数は、サブキャリア周波数間隔が１２０ｋＨｚであり、サブフレーム当たり１つのスロットがあり、各サブフレームが１ｍｓであり、スロット当たり１４個のシンボルがある場合の、ＵＥにおいて受信される測位測定信号の振幅対周波数を図示する。示されるように、関数５３８は、−２４０ｋＨｚにおいてピークに達し、−２２５ｋＨｚ、−２１０ｋＨｚ、−１９５ｋＨｚ、−１８０ｋＨｚ、およびそれ以降は１５ｋＨｚごとにヌルになる。関数５４０は、−１２０ｋＨｚ（関数５３８の第８のヌル）においてピークに達し、−１０５ｋＨｚ、−９０ｋＨｚ、−７５ｋＨｚ、６０ｋＨｚ、およびそれ以降は１５ｋＨｚごとにヌルになる。関数５４２は、０ｋＨｚ（関数５４０の第８のヌル）においてピークに達し、１５ｋＨｚ、３０ｋＨｚ、４５ｋＨｚ、６０ｋＨｚ、およびそれ以降は１５ｋＨｚごとにヌルになる。関数５４４および５４６も、同様に挙動する。
【００６３】
[0069]  グラフ５３６において表される信号のために使用されるシンボル長は、１ｍｓ／１４シンボルまたは０．０７ｍｓ（７１．４μＳｅｃ）である。これは、図４において、ボックス４３８によって表されている。スロット当たり１４個のシンボルおよび１ｍｓのサブフレームを有する１２０ｋＨｚのサブキャリア周波数間隔についての最小シンボル長は、サブフレーム当たり８つのスロット（０．００９ｍｓ）である。これは、図４において、ボックス４４４によって表されている。したがって、シンボル長は、このサブキャリア周波数間隔に対して利用可能な最小シンボル長よりも長い。したがって、グラフ５３６は、１２０ｋＨｚの周波数間隔および１ｍｓのサブフレームでのスロット当たり１４個のシンボルについてのディスエンタングルされたＯＦＤＭを図示する。
【００６４】
[0070]  グラフ５３６に見られるように、関数５３８、５４０、５４２、５４４、または５４６のいずれかに、ヌルが各１５ｋＨｚの増分にちょうど位置しないようなオフセットを持たせ得る任意のドップラー効果または他の要因は、その増分においてピークに達する信号に雑音を引き起こし得る。しかしながら、いずれの関数もピークに達することのない、各ピーク間の７つのヌルが存在するので、任意のオフセットの影響は、グラフ５２４のものからでさえ、劇的に低減される。第８のヌルにおいて、関数５３８のピーク振幅は、わずか０．０５ｋＨｚであり得る。したがって、小さいオフセットは、関数５３８から関数５４０へのわずか振幅０．００５の振幅干渉をもたらし得る。このより小さい干渉は、ＵＥが、関数５３８によって表される信号の不正確な読み取りに基づいて、そのポジションを誤って決定することを引き起こす可能性がさらに低い。むしろ、ＵＥは、関数５３８、５４０、５４２、５４４、および５４６によって表されるような、基地局からの信号に基づいて、そのポジションを正しく決定する可能性が高い。
【００６５】
[0071]  図５Ｅに移ると、グラフ５４８は、ｓｉｎｃ形状関数５５０、５５２、５５４、５５６、および５５８を図示する。各関数は、サブキャリア周波数間隔が２４０ｋＨｚであり、サブフレーム当たり１つのスロットがあり、各サブフレームが１ｍｓであり、スロット当たり１４個のシンボルがある場合の、ＵＥにおいて受信される測位測定信号の振幅対周波数を図示する。示されるように、関数５５０は、−４８０ｋＨｚにおいてピークに達し、−４６５ｋＨｚ、−４５０ｋＨｚ、−４３５ｋＨｚ、−４２０ｋＨｚ、およびそれ以降は１５ｋＨｚごとにヌルになる。関数５５２は、−２４０ｋＨｚ（関数５５０の第１６のヌル）においてピークに達し、−２２５ｋＨｚ、−２１０ｋＨｚ、−９５ｋＨｚ、８０ｋＨｚ、およびそれ以降は１５ｋＨｚごとにヌルになる。関数５５４は、０ｋＨｚ（関数５５２の第１６のヌル）においてピークに達し、１５ｋＨｚ、３０ｋＨｚ、４５ｋＨｚ、６０ｋＨｚ、およびそれ以降は１５ｋＨｚごとにヌルになる。関数５５６および５５８も、同様に挙動する。
【００６６】
[0072]  グラフ５４８において表される信号のために使用されるシンボル長は、１ｍｓ／１４シンボルまたは０．０７ｍｓ（７１．４μＳｅｃ）である。これは、図４において、ボックス４５０によって表されている。スロット当たり１４個のシンボルおよび１ｍｓのサブフレームを有する２４０ｋＨｚのサブキャリア周波数間隔についての最小シンボル長は、サブフレーム当たり１６個のスロット（０．００４５ｍｓ）である。これは、図４において、ボックス４５８によって表されている。したがって、シンボル長は、このサブキャリア周波数間隔に対して利用可能な最小シンボル長よりも長い。したがって、グラフ５４８は、２４０ｋＨｚの周波数間隔および１ｍｓのサブフレームでのスロット当たり１４個のシンボルについてのディスエンタングルされたＯＦＤＭを図示する。
【００６７】
[0073]  グラフ５４８に見られるように、関数５５０、５５２、５５４、５５６、または５５８のいずれかに、ヌルが各１５ｋＨｚの増分にちょうど位置しないようなオフセットを持たせ得る任意のドップラー効果または他の要因は、その増分においてピークに達する信号に雑音を引き起こし得る。しかしながら、いずれの関数もピークに達することのない、各ピーク間の１５個のヌルが存在するので、任意のオフセットの影響は、グラフ５３６のものからでさえ、劇的に低減される。第１６のヌルにおいて、関数５５０のピーク振幅は、わずか０．００５ｋＨｚであり得る。したがって、小さいオフセットは、関数５５０から関数５５２へのわずか振幅０．０００５の振幅干渉をもたらし得る。このより小さい干渉は、ＵＥが、関数５５０によって表される信号の不正確な読み取りに基づいて、そのポジションを誤って決定することを引き起こす可能性が低い。むしろ、ＵＥは、関数５５０、５５２、５５４、５５６、および５５８によって表されるような、基地局からの信号に基づいて、そのポジションを正しく決定する可能性が高い。
【００６８】
[0074]  図５Ｆに移ると、グラフ５６０は、ｓｉｎｃ形状関数５６２、５６４、５６６、５６８、および５７０を図示する。各関数は、サブキャリア周波数間隔が４８０ｋＨｚであり、サブフレーム当たり１つのスロットがあり、各サブフレームが１ｍｓであり、スロット当たり１４個のシンボルがある場合の、ＵＥにおいて受信される測位測定信号の振幅対周波数を図示する。示されるように、関数５６２は、−９６０ｋＨｚにおいてピークに達し、−９４５ｋＨｚ、−９３０ｋＨｚ、−９１５ｋＨｚ、−９００ｋＨｚ、およびそれ以降は１５ｋＨｚごとにヌルになる。関数５６４は、−４８０ｋＨｚ（関数５６２の第３２のヌル）においてピークに達し、−４６５ｋＨｚ、−４５０ｋＨｚ、−４３５ｋＨｚ、−４２０ｋＨｚ、およびそれ以降は１５ｋＨｚごとにヌルになる。関数５６６は、０ｋＨｚ（関数５６４の第３２のヌル）においてピークに達し、１５ｋＨｚ、３０ｋＨｚ、４５ｋＨｚ、６０ｋＨｚ、およびそれ以降は１５ｋＨｚごとにヌルになる。関数５６８および５７０も、同様に挙動する。
【００６９】
[0075]  グラフ５４８において表される信号のために使用されるシンボル長は、１ｍｓ／１４シンボルまたは０．０７ｍｓ（７１．４μＳｅｃ）である。これは、図４において、ボックス４６２によって表されている。スロット当たり１４個のシンボルおよび１ｍｓのサブフレームを有する４８０ｋＨｚのサブキャリア周波数間隔についての最小シンボル長は、サブフレーム当たり３２個のスロット（０．００２２ｍｓ）である。これは、図４において、ボックス４７２によって表されている。したがって、シンボル長は、このサブキャリア周波数間隔に対して利用可能な最小シンボル長よりも長い。したがって、グラフ５６０は、４８０ｋＨｚの周波数間隔および１ｍｓのサブフレームでのスロット当たり１４個のシンボルについてのディスエンタングルされたＯＦＤＭを図示する。
【００７０】
[0076]  グラフ５６０に見られるように、関数５６２、５６４、５６６、５６８、または５７０のいずれかに、ヌルが各１５ｋＨｚの増分にちょうど位置しないようなオフセットを持たせ得る任意のドップラー効果または他の要因は、信号の読取りに影響を及ぼすのに十分な雑音を引き起こす可能性が低い。いずれの関数もピークに達することのない、各ピーク間の３１個のヌルは、任意のオフセットの影響を実質的にゼロに低減させる。ＵＥは、何らかのオフセットにかかわらず、関数５６２、５６４、５６６、５６８、および５７０によって表されるような、基地局からの信号に基づいて、そのポジションを正しく決定する可能性が高い。
【００７１】
[0077]  グラフ５００とグラフ５６０との間の劇的な差に留意されたい。グラフ５００内では、関数５１４、５１６、５１８、５２０、および５２２は、区別することがいくぶん困難である（すなわち、エンタングルされている（entangled））のに対して、グラフ５６０の関数５６２、５６４、５６６、５６８、および５７０は、容易に区別される（すなわち、ディスエンタングルされている（disentangled））。したがって、指定されたサブキャリア周波数間隔に対して許容可能な最小シンボル長よりも長いシンボル長を選択することは、ディスエンタングルされたＯＦＤＭ信号をもたらす。別の言い方をすれば、サブキャリア周波数間隔に対する最大の許容可能なスロットよりも少ない、サブフレーム当たりのスロットを選択することは、より長いシンボル長をもたらし、その結果、ディスエンタングルされたＯＦＤＭ信号をもたらす。エンタングル（entangle）された信号は、区別することが困難であるか、またはさもなければ互いに影響を及ぼす信号として説明され得る。例えば、図５Ａの信号５０２および信号５０４がＵＥによって取得されるとき、信号５０２は、信号５０４が受信されるときに、信号５０４の測定値に影響を及ぼすのに十分な振幅を有し得る。信号５０２は、信号５０４がピーク値を有するとき、ヌル（すなわち、ゼロ）であるべきである一方で、例えば、ＵＥの移動によって引き起こされるドップラー効果または他の信号雑音は、信号５０４がピークを有するとき、信号５０２がゼロ以外の振幅を有することを引き起こし得る。ディスエンタングルされた信号は、区別可能であるか、あるいは互いにほとんどまたは全く影響を及ぼさない信号として説明され得る。例えば、図５Ｅの信号５５０および信号５５２がＵＥによって取得されるとき、信号５５０は、信号５５２が受信されるときに、ゼロまたはゼロに非常に近い振幅を有し、したがって、信号５５２の測定値にほとんどまたは全く影響を及ぼさない。
【００７２】
[0078]  図６Ａ〜図６Ｆは、ＯＦＤＭを用いた様々なシンボル長を使用する測位信号の電力対周波数（power versus frequency）をそれぞれ表す一連のグラフを例示する。図６Ａを始めとして、グラフ６００は、サブキャリア周波数間隔が４８０ｋＨｚであり、シンボル持続時間が２．２μＳｅｃである場合の、ＵＥにおいて受信される測位測定信号の電力対周波数を図示する。これは、図４において、ボックス４７２に表されている。示されるように、関数６０２は、−４８０ｋＨｚにおいてピークに達し、４８０ｋＨｚの増分ごとにヌルになる（例えば、０ｋＨｚおよび４８０ｋＨｚ）。関数６０２は、周波数が増大するにつれて電力が徐々に低減する（または、−４８０ｋＨｚのピークから離れるにつれて減少する）。関数６０４は、０ｋＨｚ（関数６０２の第１のヌル）においてピークに達し、４８０ｋＨｚの増分ごとにヌルになる（例えば、−４８０ｋＨｚおよび４８０ｋＨｚ）。関数６０４はまた、それが０ｋＨｚのピーク周波数から離れるほど、電力が徐々に減少する。関数６０６は、４８０ｋＨｚ（関数６０４の第１のヌル）においてピークに達し、４８０ｋＨｚ間隔ごとにヌルになる。
【００７３】
[0079]  グラフ６００において表される信号のために使用されるシンボル長は、１ｍｓ／１４シンボルの３２スロットまたは０．００２２ｍｓ（２．２μＳｅｃ）である。これは、このサブキャリア周波数間隔に対して利用可能な最小シンボル長（最大シンボル数）である。図４では、これは、ボックス４７２によって表されている。したがって、グラフ６００は、４８０ｋＨｚの周波数間隔およびスロット当たり１４個のシンボルについての従来のＯＦＤＭを図示する。
【００７４】
[0080]  グラフ６００に見られるように、関数６０２、６０４、または６０６のいずれかに、ヌルが各４８０ｋＨｚの増分にちょうど位置しないようなオフセットを持たせ得る任意のドップラー効果または他の要因は、その増分においてピークに達する信号にかなりの雑音を引き起こし得る。例えば、関数６０２についての２０ｋＨｚの小さいオフセットは、関数６０４によって表される信号における雑音を生じさせ得る。その結果、ＵＥは、関数６０４によって表される信号の不正確な読み取りに基づいて、そのポジションを誤って決定し得ることになり得る。
【００７５】
[0081]  図６Ｂに移ると、グラフ６０８は、サブキャリア周波数間隔が４８０ｋＨｚであり、シンボル持続時間が４．５μＳｅｃである場合の、ＵＥにおいて受信される測位測定信号の電力対周波数を図示する。これは、図４において、ボックス４７０に表されている。示されるように、関数６１０は、−４８０ｋＨｚにおいてピークに達し、２４０ｋＨｚの増分ごとにヌルになる（例えば、−２４０ｋＨｚおよび０ｋＨｚ）。関数６１０は、周波数が増大するにつれて電力が徐々に低減する（または、−４８０ｋＨｚのピークから離れるにつれて減少する）。関数６１２は、０ｋＨｚ（関数６１０の第２のヌル）においてピークに達し、２４０ｋＨｚの増分ごとにヌルになる（例えば、−２４０ｋＨｚおよび２４０ｋＨｚ）。関数６１２はまた、それが０ｋＨｚのピーク周波数から離れるほど、電力が徐々に減少する。関数６１４は、４８０ｋＨｚ（関数６１２の第２のヌルおよび関数６１０の第４のヌル）においてピークに達し、２４０ｋＨｚ間隔ごとにヌルになる。
【００７６】
[0082]  グラフ６０８において表される信号のために使用されるシンボル長は、１ｍｓ／１４シンボルの１６スロットまたは０．００４５ｍｓ（４．５μＳｅｃ）である。このサブキャリア周波数間隔に対して利用可能な最小シンボル長（最大シンボル数）は、図６Ａに関して説明されたように２．２μＳｅｃである。図４では、これは、ボックス４７２によって表されている。したがって、グラフ６０８は、４８０ｋＨｚの周波数間隔およびスロット当たり１４個のシンボルについてのディスエンタングルされたＯＦＤＭを図示する。
【００７７】
[0083]  グラフ６０８に見られるように、関数６１０、６１２、または６１４のいずれかに、ヌルが各２４０ｋＨｚの増分にちょうど位置しないようなオフセットを持たせ得る任意のドップラー効果または他の要因は、その増分においてピークに達する信号に雑音を引き起こし得る。例えば、関数６１０についての２０ｋＨｚの小さいオフセットは、関数６１２によって表される信号における雑音を生じさせ得るが、その影響は、図６Ａに図示されたシンボル長を使用するときの同じオフセットと比較して、大幅に低減され得る。図６Ｂに示されるように、０ｋＨｚ周辺の関数６１０および６１４についてのピークは、−２０ｄＢを超えている。したがって、小さいオフセットは、−３０ｄＢ以上の雑音をもたらし得る。
【００７８】
[0084]  図６Ｃに移ると、グラフ６１６は、サブキャリア周波数間隔が４８０ｋＨｚであり、シンボル持続時間が８．９μＳｅｃである場合の、ＵＥにおいて受信される測位測定信号の電力対周波数を図示する。これは、図４において、ボックス４６８に表されている。示されるように、関数６１８は、−４８０ｋＨｚにおいてピークに達し、１２０ｋＨｚの増分ごとにヌルになる（例えば、−３６０ｋＨｚおよび−２４０ｋＨｚ）。関数６１８は、周波数が増大するにつれて電力が徐々に低減する（または、−４８０ｋＨｚのピークから離れるにつれて減少する）。関数６２０は、０ｋＨｚ（関数６１８の第４のヌル）においてピークに達し、１２０ｋＨｚの増分ごとにヌルになる（例えば、１２０ｋＨｚおよび２４０ｋＨｚ）。関数６２０はまた、それが０ｋＨｚのピーク周波数から離れるほど、電力が徐々に減少する。関数６２２は、４８０ｋＨｚ（関数６２０の第４のヌルおよび関数６１８の第８のヌル）においてピークに達し、１２０ｋＨｚ間隔ごとにヌルになる。
【００７９】
[0085]  グラフ６１６において表される信号のために使用されるシンボル長は、１ｍｓ／１４シンボルの８スロットまたは０．００９ｍｓ（８．９μＳｅｃ）である。このサブキャリア周波数間隔に対して利用可能な最小シンボル長（最大シンボル数）は、図６Ａに関して説明されたように２．２μＳｅｃである。図４では、これは、ボックス４７２によって表されている。したがって、グラフ６１６は、４８０ｋＨｚの周波数間隔およびスロット当たり１４個のシンボルについてのディスエンタングルされたＯＦＤＭを図示する。
【００８０】
[0086]  グラフ６１６に見られるように、関数６１８、６２０、または６２２のいずれかに、ヌルが各１２０ｋＨｚの増分にちょうど位置しないようなオフセットを持たせ得る任意のドップラー効果または他の要因は、その増分においてピークに達する信号に雑音を引き起こし得る。しかしながら、０ｋＨ付近の関数６１８および６２２のピーク電力は、略−２０ｄＢであり、したがって、関数６１８または６２２によって表される信号のオフセットの影響は、−４０ｄＢ以下であり得る。８．９μＳｅｃのシンボル長を有するオフセットの影響は、図６Ａに図示されたような２．２μＳｅｃのシンボル長を使用するときの同じオフセットと比較して、大幅に低減され得る。
【００８１】
[0087]  図６Ｄに移ると、グラフ６２４は、サブキャリア周波数間隔が４８０ｋＨｚであり、シンボル持続時間が０．０１８ｍｓである場合の、ＵＥにおいて受信される測位測定信号の電力対周波数を図示する。これは、図４において、ボックス４６６に表されている。示されるように、関数６２６は、−４８０ｋＨｚにおいてピークに達し、６０ｋＨｚの増分ごとにヌルになる（例えば、−４２０ｋＨｚおよび−３６０ｋＨｚ）。関数６２６は、周波数が増大するにつれて電力が徐々に低減する（または、−４８０ｋＨｚのピークから離れるにつれて減少する）。関数６２８は、０ｋＨｚ（関数６２６の第８のヌル）においてピークに達し、６０ｋＨｚの増分ごとにヌルになる（例えば、６０ｋＨｚおよび１２０ｋＨｚ）。関数６２８はまた、それが０ｋＨｚのピーク周波数から離れるほど、電力が徐々に減少する。関数６３０は、４８０ｋＨｚ（関数６２８の第８のヌルおよび関数６２６の第１６のヌル）においてピークに達し、６０ｋＨｚ間隔ごとにヌルになる。
【００８２】
[0088]  グラフ６２４において表される信号のために使用されるシンボル長は、１ｍｓ／１４シンボルの４スロットまたは０．０１８ｍｓ（１７．９μＳｅｃ）である。このサブキャリア周波数間隔に対して利用可能な最小シンボル長（最大シンボル数）は、図６Ａに関して説明されたように２．２μＳｅｃである。図４では、これは、ボックス４７２によって表されている。したがって、グラフ６２４は、４８０ｋＨｚの周波数間隔およびスロット当たり１４個のシンボルについてのディスエンタングルされたＯＦＤＭを図示する。
【００８３】
[0089]  グラフ６２４に見られるように、関数６２６、６２８、または６３０のいずれかに、ヌルが各６０ｋＨｚの増分にちょうど位置しないようなオフセットを持たせ得る任意のドップラー効果または他の要因は、その増分においてピークに達する信号に雑音を引き起こし得る。しかしながら、０ｋＨｚ付近の関数６２６および６３０のピーク電力は、−２０ｄＢ未満であり、したがって、関数６２６または６３０によって表される信号のオフセットの影響は、図６Ａ、図６Ｂ、および図６Ｃに図示されたような、より短いシンボル長についての同様のオフセットのものよりも少なくなる可能性が高い。１７．９μＳｅｃのシンボル長を有するオフセットの影響は、図６Ａに図示されたような２．２μＳｅｃのシンボル長を使用するときの同じオフセットと比較して、大幅に低減され得る。
【００８４】
[0090]  図６Ｅに移ると、グラフ６３２は、サブキャリア周波数間隔が４８０ｋＨｚであり、シンボル持続時間が０．０３６ｍｓ（３５．７μＳｅｃ）である場合の、ＵＥにおいて受信される測位測定信号の電力対周波数を図示する。これは、図４において、ボックス４６４に表されている。示されるように、関数６３４は、−４８０ｋＨｚにおいてピークに達し、３０ｋＨｚの増分ごとにヌルになる（例えば、−４５０ｋＨｚおよび−４２０ｋＨｚ）。関数６３４は、周波数が増大するにつれて電力が徐々に低減する（または、−４８０ｋＨｚのピークから離れるにつれて減少する）。関数６３６は、０ｋＨｚ（関数６３４の第１６のヌル）においてピークに達し、３０ｋＨｚの増分ごとにヌルになる（例えば、３０ｋＨｚおよび６０ｋＨｚ）。関数６３６はまた、それが０ｋＨｚのピーク周波数から離れるほど、電力が徐々に減少する。関数６３８は、４８０ｋＨｚ（関数６３６の第１６のヌルおよび関数６３８の第３２のヌル）においてピークに達し、３０ｋＨｚ間隔ごとにヌルになる。
【００８５】
[0091]  グラフ６３２において表される信号のために使用されるシンボル長は、１ｍｓ／１４シンボルの２スロットまたは０．０３６ｍｓ（３５．７μＳｅｃ）である。このサブキャリア周波数間隔に対して利用可能な最小シンボル長（最大シンボル数）は、図６Ａに関して説明されたように２．２μＳｅｃである。図４では、これは、ボックス４７２によって表されている。したがって、グラフ６３２は、４８０ｋＨｚの周波数間隔およびスロット当たり１４個のシンボルについてのディスエンタングルされたＯＦＤＭを図示する。
【００８６】
[0092]  グラフ６３２に見られるように、関数６３４、６３６、または６３８のいずれかに、ヌルが各３０ｋＨｚの増分にちょうど位置しないようなオフセットを持たせ得る任意のドップラー効果または他の要因は、その増分においてピークに達する信号に雑音を引き起こし得る。しかしながら、０ｋＨｚ付近の関数６３４および６３８のピーク電力は、略−４０ｄＢであり、したがって、関数６３４または６３８によって表される信号のオフセットの影響は、図６Ａ、図６Ｂ、図６Ｃ、および図６Ｄに図示されたような、より短いシンボル長についての同様のオフセットのものよりも少なくなる可能性が高い。３５．７μＳｅｃのシンボル長を有するオフセットの影響は、図６Ａに図示されたような２．２μＳｅｃのシンボル長を使用するときの同じオフセットと比較して、大幅に低減され得る。
【００８７】
[0093]  図６Ｆに移ると、グラフ６４０は、サブキャリア周波数間隔が４８０ｋＨｚであり、シンボル持続時間が０．０７ｍｓ（７１．４μＳｅｃ）である場合の、ＵＥにおいて受信される測位測定信号の電力対周波数を図示する。これは、図４において、ボックス４６２に表されている。示されるように、関数６４２は、−４８０ｋＨｚにおいてピークに達し、１５ｋＨｚの増分ごとにヌルになる（例えば、−４６５ｋＨｚおよび−４５０ｋＨｚ）。関数６４２は、周波数が増大するにつれて電力が徐々に低減する（または、−４８０ｋＨｚのピークから離れるにつれて減少する）。関数６４４は、０ｋＨｚ（関数６４２の第３２のヌル）においてピークに達し、１５ｋＨｚの増分ごとにヌルになる（例えば、１５ｋＨｚおよび３０ｋＨｚ）。関数６４４はまた、それが０ｋＨｚのピーク周波数から離れるほど、電力が徐々に減少する。関数６４６は、４８０ｋＨｚ（関数６４４の第３２のヌルおよび関数６４２の第６４のヌル）においてピークに達し、１５ｋＨｚ間隔ごとにヌルになる。
【００８８】
[0094]  グラフ６４０において表される信号のために使用されるシンボル長は、１ｍｓ／１４シンボルの１スロットまたは０．０７ｍｓ（７１．４μＳｅｃ）である。このサブキャリア周波数間隔に対して利用可能な最小シンボル長（最大シンボル数）は、図６Ａに関して説明されたように２．２μＳｅｃである。図４では、これは、ボックス４７２によって表されている。したがって、グラフ６４０は、４８０ｋＨｚの周波数間隔およびスロット当たり１４個のシンボルについてのディスエンタングルされたＯＦＤＭを図示する。
【００８９】
[0095]  グラフ６４０に見られるように、関数６４２、６４４、または６４４のいずれかに、ヌルが各１５ｋＨｚの増分にちょうど位置しないようなオフセットを持たせ得る任意のドップラー効果または他の要因は、別の信号からの雑音を受けている信号のＵＥ測定に影響を及ぼす可能性が低い。０ｋＨｚ付近の関数６４２および６４６のピーク電力は、−４０ｄＢ未満であり、したがって、関数６４２または６４６によって表される信号のオフセットの影響は、図６Ａ、図６Ｂ、図６Ｃ、図６Ｄ、および図６Ｅに図示されたような、より短いシンボル長についての同様のオフセットのものよりも少なくなる可能性が高い。７１．４μＳｅｃのシンボル長を有するオフセットの影響は、図６Ａに図示されたような２．２μＳｅｃのシンボル長を使用するときの同じオフセットと比較して、大幅に低減され得る。
【００９０】
[0096]  グラフ６００とグラフ６４０との間の劇的な差に留意されたい。例えば、小さいｋＨｚ値のオフセットが、依然として、隣接信号またはその他任意の信号のヌルにまたはヌルの近くに当たる（landing on）可能性は、図６Ａと比較して、図６Ｆに示されるようにシンボル長が増大するとき、大幅に増大する。さらに、シンボル長が増大したときの隣接信号の電力は、シンボル長がより短いときに比べて、各信号についてのピークにおいてより小さい。したがって、指定されたサブキャリア周波数間隔に対して許容可能な最小シンボル長よりも長いシンボル長を選択することは、ディスエンタングルされたＯＦＤＭ信号をもたらす。別の言い方をすれば、サブキャリア周波数間隔に対する最大の許容可能なスロットよりも少ない、サブフレーム当たりのスロットを選択することは、より長いシンボル長をもたらし、その結果、ディスエンタングルされたＯＦＤＭ信号をもたらす。
【００９１】
[0097]  図７は、ＯＦＤＭ信号のためのシンボル長を選択するための方法７００のフロー図を例示する。方法７００は、ワイヤレスネットワーク上の構成要素に構成情報を提供することが可能なロケーションサーバまたは他のマスタコントローラによって実行され得る。例えば、図１のＬＭＦ１２０は、ロケーションサーバ（またはマスタコントローラ）であり得る。このようなロケーションサーバは、例えば、ネットワーク上の全ての構成要素に、ＯＦＤＭを使用する測位測定信号のために使用されるべきシンボル長を提供し得る。例えば、ＵＥ（例えば、図１のＵＥ１０５）または基地局（例えば、図１のｇＮＢ１１０）などの構成要素は、測位測定信号を送信するために測位決定通信において使用するためのシンボル長情報をロケーションサーバから受信し得る。
【００９２】
[0098]  ブロック７０５において、ロケーションサーバは、所定の周波数帯域（predetermined frequency band）を複数のサブキャリア周波数帯域に分割するためのサブキャリア周波数間隔を定義し得る。図２に関して説明されたように、利用可能な帯域幅（所定の周波数帯域）は、均一に離間された直交サブキャリアに分割され得る。均一な間隔は、定義されたサブキャリア周波数間隔であり得る。ＬＴＥの場合、図２で説明されたように、サブキャリアは１５ｋＨｚであり得、したがって、均一な間隔は１５ｋＨｚであり、各サブキャリア周波数帯域は、１５ｋＨｚ幅（例えば、０ｋＨｚ〜１５ｋＨｚ）である。図５Ａ〜図５Ｆおよび図６Ａ〜図６Ｆにおいて使用された他の例となる定義されたサブキャリア周波数間隔は、３０ｋＨｚ、６０ｋＨｚ、１２０ｋＨｚ、２４０ｋＨｚ、および４８０ｋＨｚを含む。５Ｇネットワークの場合、サブキャリア周波数帯域は、例えば、６０ＧＨｚなど、はるかに大きいことが予期される。
【００９３】
[0099]  ブロック７０５における機能を実行するための手段は、図９に例示されおよび以下でより詳細に説明されるコンピュータシステム９００のバス９０５、（１つまたは複数の）処理ユニット９１０、ワーキングメモリ９３５、オペレーティングシステム９４０、（１つまたは複数の）アプリケーション９４５、および／または他の構成要素などの、コンピュータシステムの１つまたは複数の構成要素を備え得る。
【００９４】
[0100]  ブロック７１０において、ロケーションサーバは、時間領域におけるシンボル長を決定し得、ここで、シンボル長は、定義されたサブキャリア周波数間隔に基づいて決定される最小シンボル長よりも大きい。例えば、図４に関して説明されたように、１５ｋＨｚのサブキャリア周波数間隔についての最小シンボル長は、０．０７ｍｓ（７１．４μＳｅｃ）であり、これはボックス４０２に示されている。サブキャリア周波数間隔が増大するにつれて、最小シンボル長は低減する。例として、図４のボックス４７２に図示されているように、４８０ｋＨｚの周波数間隔についての最小シンボル長は、２．２μＳｅｃである。例として、サブキャリア周波数間隔が４８０ｋＨｚであるとき、最小シンボル長は２．２μＳｅｃであり、選択されたシンボル長は、最小シンボル長よりも大きくなり得る。さらに、選択されたシンボル長は、最小シンボル長の整数倍（integer multiple）であり得る。選択されたシンボル長はさらに、最小シンボル長の偶数整数倍（even integer multiple）であり得る。例えば、図４に示されたように、４８０ｋＨｚのサブキャリアについてのシンボル長のオプションは、最小シンボル長の２倍、４倍、８倍、１６倍、および３２倍である。したがって、選択されたシンボル長は、図４のボックス４６４および４６２によってそれぞれ示されるように、例えば、３５．６μＳｅｃまたは７１．４μＳｅｃであり得る。シンボル長の選択は、サブキャリア周波数間隔を修正または変更し得ない。従来のＯＦＤＭでは、シンボル長を増大させることは、サブキャリア周波数間隔を縮小させることになる。説明される解決策は、従来のＯＦＤＭに相関させるために、サブキャリア周波数間隔を変更することなく、シンボル長を変更させる。
【００９５】
[0101]  ブロック７１０における機能を実行するための手段は、図９に例示されおよび以下でより詳細に説明されるコンピュータシステム９００のバス９０５、（１つまたは複数の）処理ユニット９１０、ワーキングメモリ９３５、オペレーティングシステム９４０、（１つまたは複数の）アプリケーション９４５、および／または他の構成要素などの、コンピュータシステムの１つまたは複数の構成要素を備え得る。
【００９６】
[0102]  ブロック７１５において、ロケーションサーバは、複数のサブキャリア周波数帯域のうちの第１のサブキャリア周波数帯域（first subcarrier frequency band）上で、シンボル長のシンボル中に第１のワイヤレスポジション測定信号（first wireless position measurement signal）の少なくとも一部分を送信するための命令（instruction）を、第１の基地局に提供し得、ここにおいて、第１のワイヤレスポジション測定信号の少なくとも一部分は、周波数領域において第１のｓｉｎｃ形状関数を有し、ここにおいて、第１のｓｉｎｃ形状関数は、周波数がメインローブを超えて増大するにつれて、複数の順序付けられたヌル点（a plurality of ordered null points）を有する。例えば、図５Ｆに示されたように、関数５６６は、７１．４μＳｅｃの指定されたシンボル長の間に、４８０ｋＨｚの間隔を有するサブキャリア周波数帯域上で、基地局によって送られるワイヤレスポジション測定信号（またはワイヤレスポジション測定信号の一部分）を表し得る。関数５６６は、グラフ５６０に示されたように、周波数領域においてｓｉｎｃ形状を有する。関数５６６は、０ｋＨｚにおいてメインローブを有し、１５ｋＨｚ、３０ｋＨｚ、４５ｋＨｚ、およびそれ以降は１５ｋＨｚごとにヌル点（null point）を有する。ヌル点は、順序付けられ、ここで、第１が１５ｋＨｚにあり、第２が３０ｋＨｚにあり、第３が４５ｋＨｚにあり、以下同様である。ポジション測定信号は、リソースブロックによって定義されるように、１つより多くのシンボルにわたって送信され得るので、ワイヤレスポジション測定信号の一部分のみが、シンボル中に基地局によって送信され得る。
【００９７】
[0103]  ブロック７１５における機能を実行するための手段は、図９に例示されおよび以下でより詳細に説明されるコンピュータシステム９００のバス９０５、（１つまたは複数の）処理ユニット９１０、ワーキングメモリ９３５、オペレーティングシステム９４０、（１つまたは複数の）アプリケーション９４５、および／または他の構成要素などの、コンピュータシステムの１つまたは複数の構成要素を備え得る。
【００９８】
[0104]  ブロック７２０において、ロケーションサーバは、複数のサブキャリア周波数帯域のうちの第２のサブキャリア周波数帯域（second subcarrier frequency band）上で、シンボル中に第２のワイヤレスポジション測定信号（second wireless position measurement signal）の少なくとも一部分を送信するための命令を、第２の基地局に提供し得、ここにおいて、第２のサブキャリア周波数帯域は、第１のサブキャリア周波数帯域に隣接しており、ここにおいて、第２のワイヤレスポジション測定信号の少なくとも一部分は、周波数領域において第２のｓｉｎｃ形状関数を有し、ここにおいて、第２のｓｉｎｃ形状関数のメインローブは、第１のｓｉｎｃ形状関数の第１の順序付けられたヌル点（first ordered null point）の後の、第１のｓｉｎｃ形状関数のヌル点にある。再び図５Ｆを参照すると、関数５６８は、関数５６６のものに隣接するサブキャリア周波数帯域上で、基地局（これは、第２の基地局であり得る）によって送信される信号を表す。関数５６８もまたｓｉｎｃ形状を有し、関数５６８のメインローブは４８０ｋＨｚにある。関数５６６の第１のヌルは１５ｋＨｚにあるので、４８０ｋＨｚにある関数５６８のメインローブは、関数５６６の第１のヌルにはない。
【００９９】
[0105]  ブロック７２０における機能を実行するための手段は、図９に例示されおよび以下でより詳細に説明されるコンピュータシステム９００のバス９０５、（１つまたは複数の）処理ユニット９１０、ワーキングメモリ９３５、オペレーティングシステム９４０、（１つまたは複数の）アプリケーション９４５、および／または他の構成要素などの、コンピュータシステムの１つまたは複数の構成要素を備え得る。
【０１００】
[0106]  図７に関して説明されたように、ロケーションサーバは、指定されたシンボル持続時間をもつ指定されたサブキャリア周波数間隔において、ワイヤレスポジション測定信号を送信するための命令を、基地局に提供し得る。次いで、基地局は、ワイヤレスネットワークを介して、命令されたように信号を送信することを担う。ＵＥは、基地局から信号を受信し得、そしてまた、ロケーションサーバから命令を受信し得、これにより、ＵＥは、どのシンボル長をリッスンすべきか、およびどのサブキャリア周波数間隔を利用すべきかを知っている。いったんＵＥが信号を受信すると、ＵＥは、基地局によって送信された変調されたワイヤレスポジション信号を復調し、ペイロードを解釈し得る。図１１は、このプロセスに関してさらなる詳細を提供する。ペイロードは、上述されたように、ＵＥが、ＵＥと基地局との間の距離（distance）を識別するために、基地局についてのＲＴＴを計算するために使用し得る、時間値および他の情報を提供し得る。いったんＵＥが、基地局のロケーションを知って、ＵＥと基地局との間の距離を決定すると、ＵＥは、ＵＥのポジションを計算し得る。ＵＥは、ロケーションサーバ、基地局、他のＵＥなどを含むネットワークの他の構成要素に、ポジション情報（position information）を提供し得る。加えて、マッピングアプリケーション、デートアプリケーション（dating applications）、ナビゲーションアプリケーション、ソーシャルメディアアプリケーションなどのような、ＵＥ上で実行中の様々なソフトウェアアプリケーションが、アプリケーション内で使用するために、ポジション情報を受信し得る。
【０１０１】
[0107]  図８は、（例えば、図１〜図７に関連して）本明細書で上記に説明されたように利用され得るＵＥ１０５の実施形態を例示する。例えば、ＵＥ１０５は、図７の方法７００の機能のうちの１つまたは複数を実行し得る。図８は、様々な構成要素の一般化された例示を提供することのみを意図しており、それらのいずれかまたは全てが適宜に利用され得ることに留意されたい。いくつかの事例では、図８によって例示される構成要素は、単一の物理デバイスに局所化され、および／または、異なる物理的なロケーションに配置され得る（例えば、ユーザの身体の異なる部分に位置し、このケースでは、これら構成要素は、パーソナルエリアネットワーク（ＰＡＮ）および／または他の手段を介して通信可能に接続され得る）様々なネットワーク化されたデバイス間で分散され得ることが留意され得る。
【０１０２】
[0108]  バス８０５を介して電気的に結合され得る（または、適宜、他の方法で通信状態にあり得る）ハードウェア要素を備えるＵＥ１０５が示される。ハードウェア要素は、（１つまたは複数の）処理ユニット８１０を含み得、これは、限定はしないが、１つまたは複数の汎用プロセッサ、１つまたは複数の専用プロセッサ（デジタル信号処理（ＤＳＰ）チップ、グラフィックスアクセラレーションプロセッサ、特定用途向け集積回路（ＡＳＩＣ）、および／または同様のものなど）、および／または、他の処理構造または手段を含み得る。図８に示されるように、いくつかの実施形態は、所望の機能に依存して、別個のデジタルシグナルプロセッサ（ＤＳＰ）８２０を有し得る。ワイヤレス通信に基づくロケーション決定および／または他の決定は、（以下で説明される）（１つまたは複数の）処理ユニット８１０および／またはワイヤレス通信インターフェース８３０において提供され得る。ＵＥ１０５はまた、限定はしないが、キーボード、タッチスクリーン、タッチパッド、マイクロフォン、（１つまたは複数の）ボタン、（１つまたは複数の）ダイアル、（１つまたは複数の）スイッチ、および／または同様のものを含み得る１つまたは複数の入力デバイス８７０と、限定はしないが、ディスプレイ、発光ダイオード（ＬＥＤ）、スピーカ、および／または同様のものを含み得る１つまたは複数の出力デバイス８１５とを含み得る。
【０１０３】
[0109]  ＵＥ１０５はまた、ワイヤレス通信インターフェース８３０を含み得、これは、限定はしないが、モデム、ネットワークカード、赤外線通信デバイス、ワイヤレス通信デバイス、チップセット（例えば、Ｂｌｕｅｔｏｏｔｈ（登録商標）デバイス、ＩＥＥＥ８０２．１１デバイス、ＩＥＥＥ８０２．１５．４デバイス、ＷｉＦｉデバイス、ＷｉＭａｘデバイス、セルラ通信設備など）、および／または同様のものを備え得る。ワイヤレス通信インターフェース８３０は、ＵＥ１０５が、図１に関して上記で説明されたネットワークを介して通信することを可能にし得る。ワイヤレス通信インターフェース８３０は、データおよびシグナリングが、ネットワーク、ｅＮＢ、ｇＮＢ、ｎｇ−ｅＮＢ、他のネットワーク構成要素、コンピュータシステム、および／または本明細書で説明されるその他任意の電子デバイスと通信される（例えば、送信および受信される）ことを許可し得る。通信は、ワイヤレス信号８３４を送るおよび／または受信する１つまたは複数のワイヤレス通信アンテナ８３２を介して行われ得る。
【０１０４】
[0110]  所望の機能に依存して、ワイヤレス通信インターフェース８３０は、ワイヤレスデバイスおよびアクセスポイントなどの、他の地上トランシーバおよび基地局（例えば、ｎｇ−ｅＮＢおよびｇＮＢ）と通信するための別個のトランシーバを備え得る。ＵＥ１０５は、様々なネットワークタイプを備え得る異なるデータネットワークと通信し得る。例えば、ワイヤレスワイドエリアネットワーク（ＷＷＡＮ）は、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワーク、ＷｉＭａｘ（ＩＥＥＥ８０２．１６）ネットワーク、および／またはその他であり得る。ＣＤＭＡネットワークは、ＣＤＭＡ２０００、広帯域ＣＤＭＡ（ＷＣＤＭＡ）などのような、１つまたは複数の無線アクセス技術（ＲＡＴ）をインプリメントし得る。ＣＤＭＡ２０００は、ＩＳ−９５、ＩＳ−２０００、および／またはＩＳ−８５６規格を含む。ＴＤＭＡネットワークは、ＧＳＭ、デジタルアドバンストモバイル電話システム（Ｄ−ＡＭＰＳ）、または何らかの他のＲＡＴをインプリメントし得る。ＯＦＤＭＡネットワークは、ＬＴＥ、ＬＴＥアドバンスト、５Ｇ  ＮＲなどを用い得る。５Ｇ  ＮＲ、ＬＴＥ、ＬＴＥアドバンスト、ＧＳＭ、およびＷＣＤＭＡは、第３世代パートナーシッププロジェクト（３ＧＰＰ）からの文書に説明されている。ＣＤＭＡ２０００は、「第３世代パートナーシッププロジェクト２」（３ＧＰＰ２）という名称のコンソーシアムからの文書に説明されている。３ＧＰＰおよび３ＧＰＰ２の文書は、公的に入手可能である。ワイヤレスローカルエリアネットワーク（ＷＬＡＮ）はまた、ＩＥＥＥ８０２．１１ｘネットワークであり得、ワイヤレスパーソナルエリアネットワーク（ＷＰＡＮ）は、Ｂｌｕｅｔｏｏｔｈネットワーク、ＩＥＥＥ８０２．１５ｘ、または何らかの他のタイプのネットワークであり得る。本明細書で説明された技法はまた、ＷＷＡＮ、ＷＬＡＮ、および／またはＷＰＡＮの任意の組合せのために使用され得る。
【０１０５】
[0111]  ＵＥ１０５は、（１つまたは複数の）センサ８４０をさらに含み得る。センサ８４０は、限定はしないが、１つまたは複数の慣性センサおよび／または他のセンサ（例えば、（１つまたは複数の）加速度計、（１つまたは複数の）ジャイロスコープ、（１つまたは複数の）カメラ、（１つまたは複数の）磁力計、（１つまたは複数の）高度計、（１つまたは複数の）マイクロフォン、（１つまたは複数の）近接センサ、（１つまたは複数の）光センサ、（１つまたは複数の）気圧計、および／または同様のもの）を備え得、これらのうちのいくつかは、本明細書で説明されたポジション決定を補完および／または促進するために使用され得る。
【０１０６】
[0112]  ＵＥ１０５の実施形態はまた、アンテナ８８２（これは、アンテナ８３２と同じであり得る）を使用して、１つまたは複数のＧＮＳＳ衛星（例えば、ＳＶ１９０）から信号８８４を受信することが可能なＧＮＳＳ受信機８８０を含み得る。ＧＮＳＳ信号測定に基づく測位は、本明細書で説明された技法を補完および／または組み込むために利用され得る。ＧＮＳＳ受信機８８０は、全地球測位システム（ＧＰＳ）、ガリレオ、グロナス、日本上空の準天頂衛星システム（ＱＺＳＳ）、インド上空のインド地域航法衛星システム（ＩＲＮＳＳ）、中国上空の北斗、および／または同様のものなどの、ＧＮＳＳシステムのＧＮＳＳ  ＳＶから、従来の技法を使用して、ＵＥ１０５のポジションを抽出し得る。さらに、ＧＮＳＳ受信機８８０は、例えば、広域補強システム（ＷＡＡＳ）、欧州静止衛星航法オーバレイサービス（ＥＧＮＯＳ）、運輸多目的衛星用衛星航法補強システム（ＭＳＡＳ）、静止衛星補強航法システム（ＧＡＧＡＮ）、および／または同様のものなどの、１つまたは複数の全地球および／または地域航法衛星システムに関連付けられるか、またはさもなければ、それらとの使用のために有効にされ得る様々な補強システム（例えば、静止衛星型衛星航法補強システム（ＳＢＡＳ））と共に使用され得る。
【０１０７】
[0113]  ＵＥ１０５は、メモリ８６０をさらに含み、および／またはそれと通信状態にあり得る。メモリ８６０は、限定はしないが、ローカルおよび／またはネットワークアクセス可能な記憶装置、ディスクドライブ、ドライブアレイ、光学記憶デバイス、ランダムアクセスメモリ（ＲＡＭ）および／または読取専用メモリ（ＲＯＭ）などのソリッドステート記憶デバイスを含み得、これらのうちの任意のものが、プログラム可能、フラッシュ更新可能、および／または同様のものであり得る。このような記憶デバイスは、限定はしないが、様々なファイルシステム、データベース構造、および／または同様のものを含む、任意の適切なデータ記憶をインプリメントするように構成され得る。
【０１０８】
[0114]  ＵＥ１０５のメモリ８６０はまた、オペレーティングシステム、デバイスドライバ、実行可能ライブラリ、および／または、本明細書で説明されるように、様々な実施形態によって提供されるコンピュータプログラムを備え得、および／または他の実施形態によって提供される方法をインプリメントしおよび／またはシステムを構成するように設計され得る、１つまたは複数のアプリケーションプログラムなどの他のコードを含む、ソフトウェア要素（図８には図示せず）を備え得る。単に例として、上述された（１つまたは複数の）方法に関して説明された１つまたは複数のプロシージャは、ＵＥ１０５（および／または、ＵＥ１０５内の（１つまたは複数の）処理ユニット８１０またはＤＳＰ８２０）によって実行可能である、メモリ８６０におけるコードおよび／または命令としてインプリメントされ得る。次いで、ある態様では、そのようなコードおよび／または命令は、説明された方法に従って、１つまたは複数の動作を実行するように汎用コンピュータ（または、他のデバイス）を構成および／または適合させるために使用され得る。
【０１０９】
[0115]  図９は、コンピュータシステム９００の実施形態を例示し、これは、ＮＧ−ＲＡＮ１３５および５ＧＣ１４０などの、５Ｇネットワークの様々な構成要素、および／または他のネットワークタイプの同様の構成要素を含む、通信システム（例えば、図１の通信システム１００）の１つまたは複数の構成要素に組み込まれおよび／または利用され得る。図９は、図５および図６に関連して説明された方法などの、様々な他の実施形態によって提供された方法を実行し得るコンピュータシステム９００の一実施形態の概略図を提供する。図９は、様々な構成要素の一般化された例示を提供することのみを意図しており、それらのいずれかまたは全てが適宜に利用され得ることに留意されたい。したがって、図９は、どのように個々のシステム要素が、比較的別々の、または比較的より統合された方法でインプリメントされ得るかを広く例示する。加えて、図９によって例示される構成要素は、単一のデバイスに局所化され、および／または、異なる物理的または地理的なロケーションに配置され得る様々なネットワーク化されたデバイスの間で分散され得ることが留意され得る。いくつかの実施形態では、コンピュータシステム９００は、ＬＭＦ（例えば、図１のＬＭＦ１２０）、ｇＮＢ（例えば、図１のｇＮＢ１１０）、ｎｇ−ｅＮＢ（例えば、図１のｎｇ−ｅＮＢ１１４）、ｅＮＢ、ロケーションサーバ（例えば、Ｅ−ＳＭＬＣ、ＳＵＰＬ  ＳＬＰなど）、および／または何らかの他のタイプの位置特定対応デバイス（location-capable device）に対応し得る。
【０１１０】
[0116]  バス９０５を介して電気的に結合され得る（または、適宜、他の方法で通信状態にあり得る）ハードウェア要素を備えるコンピュータシステム９００が示される。ハードウェア要素は、（１つまたは複数の）処理ユニット９１０を含み得、これは、限定はしないが、１つまたは複数の汎用プロセッサ、１つまたは複数の専用プロセッサ（デジタル信号処理チップ、グラフィックスアクセラレーションプロセッサ、および／または同様のものなど）、および／または他の処理構造を含み得、これは、図５または図６に関連して説明された方法を含む、本明細書で説明された方法のうちの１つまたは複数を実行するように構成され得る。コンピュータシステム９００はまた、限定はしないが、マウス、キーボード、カメラ、マイクロフォン、および／または同様のものを含み得る１つまたは複数の入力デバイス９１５と、限定はしないが、ディスプレイデバイス、プリンタ、および／または同様のものを含み得る１つまたは複数の出力デバイス９２０とを含み得る。
【０１１１】
[0117]  コンピュータシステム９００は、１つまたは複数の非一時的な記憶デバイス９２５をさらに含み（および／または、それと通信状態にあり）得、これは、限定はしないが、ローカルおよび／またはネットワークアクセス可能な記憶装置を備え得、および／または、限定はしないが、ディスクドライブ、ドライブアレイ、光学記憶デバイス、ソリッドステート記憶デバイス（例えば、ランダムアクセスメモリ（ＲＡＭ）および／または読取専用メモリ（ＲＯＭ））を含み得、これらのうちの任意のものが、プログラム可能、フラッシュ更新可能、および／または同様のものであり得る。このような記憶デバイスは、限定はしないが、様々なファイルシステム、データベース構造、および／または同様のものを含む、任意の適切なデータ記憶をインプリメントするように構成され得る。
【０１１２】
[0118]  コンピュータシステム９００はまた、通信サブシステム９３０を含み得、これは、ワイヤレス通信インターフェース９３３によって管理および制御される（いくつかの実施形態では）ワイヤレス通信技術および／またはワイヤライン通信技術のサポートを含み得る。通信サブシステム９３０は、モデム、ネットワークカード（ワイヤレスまたはワイヤード）、赤外線通信デバイス、ワイヤレス通信デバイス、および／またはチップセット、および／または同様のものを含み得る。通信サブシステム９３０は、データおよびシグナリングが、ネットワーク、モバイルデバイス、他のコンピュータシステム、および／または本明細書で説明されたその他任意の電子デバイスと交換されることを許可するために、ワイヤレス通信インターフェース９３３などの、１つまたは複数の入力および／または出力通信インターフェースを含み得る。「モバイルデバイス」および「ＵＥ」という用語は、限定はしないが、モバイルフォン、スマートフォン、ウェアラブルデバイス、モバイルコンピューティングデバイス（例えば、ラップトップ、ＰＤＡ、タブレット）、埋め込みモデム、ならびに自動車用および他の乗り物用のコンピューティングデバイスなどの、任意のモバイル通信デバイスを指すように、本明細書で交換可能に使用されることに留意されたい。
【０１１３】
[0119]  多くの実施形態では、コンピュータシステム９００は、ＲＡＭおよび／またはまたはＲＯＭデバイスを含み得る、ワーキングメモリ９３５をさらに備えることになる。ワーキングメモリ９３５内に位置するものとして示されるソフトウェア要素は、オペレーティングシステム９４０、デバイスドライバ、実行可能ライブラリ、および／または、本明細書で説明されるように、様々な実施形態によって提供されるコンピュータプログラムを備え得、および／または他の実施形態によって提供される方法をインプリメントし、および／またはシステムを構成するように設計され得る（１つまたは複数の）アプリケーション９４５などの他のコードを含み得る。単に例として、図５および図６に関連して説明された方法などの、上述された（１つまたは複数の）方法に関して説明された１つまたは複数のプロシージャは、ワーキングメモリ９３５に（例えば、一時的に）記憶されかつコンピュータ（および／または、（１つまたは複数の）処理ユニット９１０などの、コンピュータ内の処理ユニット）によって実行可能であるコードおよび／または命令としてインプリメントされ得、次いで、ある態様では、このようなコードおよび／または命令は、説明された方法に従って１つまたは複数の動作を実行するように汎用コンピュータ（または、他のデバイス）を構成および／または適合させるために使用され得る。
【０１１４】
[0120]  これらの命令および／またはコードのセットは、上記で説明された（１つまたは複数の）記憶デバイス９２５などの、非一時的なコンピュータ可読記憶媒体上に記憶され得る。いくつかのケースでは、記憶媒体は、コンピュータシステム９００などの、コンピュータシステム内に組み込まれ得る。他の実施形態では、記憶媒体は、コンピュータシステムとは別個であり（例えば、光ディスクなどのリムーバブル媒体）、および／または、インストールパッケージにおいて提供され得、これにより、記憶媒体は、その上に記憶された命令／コードを用いて汎用コンピュータをプログラムする、構成する、および／または適合させるために使用され得る。これらの命令は、コンピュータシステム９００によって（例えば、（１つまたは複数の）処理ユニット９１０によって）実行可能である実行可能コードの形態を取り得、および／または、ソースおよび／またはインストール可能コードの形態を取り得、これは、（例えば、様々な一般的に利用可能なコンパイラ、インストールプログラム、圧縮／解凍ユーティリティなどのうちの任意のものを使用した）コンピュータシステム９００上でのコンパイルおよび／またはインストールの際には、実行可能コードの形態を取る。
【０１１５】
[0121]  図１０は、（例えば、図１〜図７に関連して）本明細書で上記に説明されたように利用され得る基地局１０００の実施形態を例示する。例えば、基地局１０００は、図７の方法７００の機能のうちの１つまたは複数を実行し得る。図１０は、様々な構成要素の一般化された例示を提供することのみを意図しており、それらのいずれかまたは全てが適宜に利用され得ることに留意されたい。いくつかの実施形態では、基地局１０００は、本明細書で上記に説明されたようなＬＭＦ１２０、ｇＮＢ１１０、および／またはｎｇ−ｅＮＢ１１４に対応し得る。
【０１１６】
[0122]  バス１００５を介して電気的に結合され得る（または、適宜、他の方法で通信状態にあり得る）ハードウェア要素を備える基地局１０００が示される。ハードウェア要素は、（１つまたは複数の）処理ユニット１０１０を含み得、これは、限定はしないが、１つまたは複数の汎用プロセッサ、１つまたは複数の専用プロセッサ（デジタル信号処理（ＤＳＰ）チップ、グラフィックスアクセラレーションプロセッサ、特定用途向け集積回路（ＡＳＩＣ）、および／または同様のものなど）、および／または、他の処理構造または手段を含み得る。図１０に示されるように、いくつかの実施形態は、所望の機能に依存して、別個のデジタルシグナルプロセッサ（ＤＳＰ）１０２０を有し得る。ワイヤレス通信に基づくロケーション決定および／または他の決定は、（以下で説明される）（１つまたは複数の）処理ユニット１０１０および／またはワイヤレス通信インターフェース１０３０において提供され得る。基地局１０００はまた、限定はしないが、キーボード、ディスプレイ、マウス、マイクロフォン、（１つまたは複数の）ボタン、（１つまたは複数の）ダイアル、（１つまたは複数の）スイッチ、および／または同様のものを含み得る１つまたは複数の入力デバイス１０７０と、限定はしないが、ディスプレイ、発光ダイオード（ＬＥＤ）、スピーカ、および／または同様のものを含み得る１つまたは複数の出力デバイス１０１５とを含み得る。
【０１１７】
[0123]  基地局１０００はまた、ワイヤレス通信インターフェース１０３０を含み得、これは、限定はしないが、モデム、ネットワークカード、赤外線通信デバイス、ワイヤレス通信デバイス、および／またはチップセット（Ｂｌｕｅｔｏｏｔｈ（登録商標）デバイス、ＩＥＥＥ８０２．１１デバイス、ＩＥＥＥ８０２．１５．４デバイス、ＷｉＦｉデバイス、ＷｉＭａｘデバイス、セルラ通信設備など）、および／または同様のものを備え得、これは、基地局１０００が、本明細書で説明されたように通信することを可能にし得る。ワイヤレス通信インターフェース１０３０は、データおよびシグナリングが、ＵＥ、他の基地局（例えば、ｅＮＢ、ｇＮＢ、およびｎｇ−ｅＮＢ）、および／または他のネットワーク構成要素、コンピュータシステム、および／または本明細書で説明されたその他任意の電子デバイスと通信される（例えば、送信および受信される）ことを許可し得る。通信は、ワイヤレス信号１０３４を送るおよび／または受信する１つまたは複数のワイヤレス通信アンテナ１０３２を介して行われ得る。
【０１１８】
[0124]  基地局１０００はまた、ネットワークインターフェース１０８０を含み得、これは、ワイヤライン通信技術のサポートを含み得る。ネットワークインターフェース１０８０は、モデム、ネットワークカード、チップセット、および／または同様のものを含み得る。ネットワークインターフェース１０８０は、データが、ネットワーク、通信ネットワークサーバ、コンピュータシステム、および／または本明細書で説明されたその他任意の電子デバイスと交換されることを許可するために、１つまたは複数の入力および／または出力通信インターフェースを含み得る。
【０１１９】
[0125]  多くの実施形態では、基地局１０００は、メモリ１０６０をさらに備えることになる。メモリ１０６０は、限定はしないが、ローカルおよび／またはネットワークアクセス可能な記憶装置、ディスクドライブ、ドライブアレイ、光学記憶デバイス、ＲＡＭおよび／またはＲＯＭなどのソリッドステート記憶デバイスを含み得、これらは、プログラム可能、フラッシュ更新可能、および／または同様のものであり得るこのような記憶デバイスは、限定はしないが、様々なファイルシステム、データベース構造、および／または同様のものを含む、任意の適切なデータ記憶をインプリメントするように構成され得る。
【０１２０】
[0126]  基地局１０００のメモリ１０６０はまた、オペレーティングシステム、デバイスドライバ、実行可能ライブラリ、および／または、本明細書で説明されるように、様々な実施形態によって提供されるコンピュータプログラムを備え得、および／または他の実施形態によって提供される方法をインプリメントしおよび／またはシステムを構成するように設計され得る、１つまたは複数のアプリケーションプログラムなどの他のコードを含む、ソフトウェア要素（図１０には図示せず）を備え得る。単に例として、上述された（１つまたは複数の）方法に関して説明された１つまたは複数のプロシージャは、基地局１０００（および／または、基地局１０００内の（１つまたは複数の）処理ユニット１０１０またはＤＳＰ１０２０）によって実行可能である、メモリ１０６０におけるコードおよび／または命令としてインプリメントされ得る。次いで、ある態様では、そのようなコードおよび／または命令は、説明された方法に従って、１つまたは複数の動作を実行するように汎用コンピュータ（または、他のデバイス）を構成および／または適合させるために使用され得る。
【０１２１】
[0127]  図１１は、受信機１１００の機能ブロック図の実施形態を例示する。受信機１１００は、本明細書で説明される実施形態に従って、ワイヤレスポジション測定信号を処理するために使用され得る。受信機１１００は、例えば、ＵＥ１０５などのＵＥに組み込まれ得る。例えば、受信機１１００は、図１０に関して説明されたような、ワイヤレス通信インターフェース１０３０および／またはＤＳＰ１０２０に含まれ得る。受信機１１００は、受信機１１００内のモジュールを通るデータの流れを例示する。モジュールは、受信機（例えば、ＤＳＰ）のソフトウェアおよび／またはハードウェア構成要素によって実行され得る処理ステップを示す。最初に、受信機１１００は、時間領域信号１１０５を受信し得る。時間領域信号１１０５は、例えば、ワイヤレスポジション測定信号であり得る。高速フーリエ変換モジュール１１１０は、時間領域信号１１０５を周波数領域信号１１１５に変換するために、時間領域信号１１０５に対して高速フーリエ変換を実行し得る。次いで、高速フーリエ変換モジュール１１１０は、周波数領域信号１１１５を相関モジュール（correlation module）１１２０に送り得る。相関モジュール１１２０は、周波数領域信号１１１５ならびに逆スクランブリングシーケンス（descrambling sequence）１１２５を受信し得る。逆スクランブリングシーケンス１１２５は、時間領域信号１１０５が基地局から送信されるサブキャリア周波数間隔情報およびシンボル長情報を含み得る。相関モジュール１１２０は、チャネルインパルス応答（channel impulse response）の周波数領域表現１１３０を生成するために、周波数領域信号１１１５に対して逆スクランブリングシーケンス１１２５を使用し得る。次いで、相関モジュール１１２０は、チャネルインパルス応答の周波数領域表現１１３０を、逆高速フーリエ変換モジュール（inverse fast Fourier transform module）１１３５に送り得る。逆高速フーリエ変換モジュール１１３５は、チャネルインパルス応答の時間領域表現１１４０を生成するために、チャネルインパルス応答の周波数領域表現１１３０に対して逆高速フーリエ変換を実行し得る。次いで、逆高速フーリエ変換モジュール１１３５は、チャネルインパルス応答の時間領域表現１１４０を、最も早いピーク検出モジュール（earliest peak detection module）１１４５に送り得る。最も早いピーク検出モジュール１１４５は、チャネルインパルス応答の時間領域表現１１４０を分析して、最も早いピークを検出し得、これは、到着時間１１５５を示し得る。一実施形態では、最も早いピーク検出モジュール１１４５は、例えば、チャネルインパルス応答（ＣＩＲ：channel impulse response）をその複素共役によって乗算することによって、ＣＩＲをチャネルエネルギー応答（ＣＥＲ：channel energy response）へと再処理し得る。最も早いピーク検出モジュール１１４５は、最も早いピークを検出するとき、ＣＩＲおよび／またはＣＥＲに対して動作し得る。最も早いピークを検出した後、最も早いピーク検出モジュール１１４５は、検出インジケーション１１５０および到着時間（time-of-arrival）１１５５を、測位エンジン（positioning engine）と共有し得る。測位エンジンは、追加として、セル動作のために、限定はしないが、送信アンテナのロ���ーションならびにそれらのアンテナビームオリエンテーション（antenna beam orientation）およびアンテナビーム開口などの、セル固有情報へのアクセスを必要とし得る。さらに、複数の基地局からの時間領域信号１１０５に関連付けられた到着時間１１５５および検出インジケーション１１５０を受信すると、ポジションエンジン（position engine）は、受信機１１００のポジションを決定するために、マルチラテレーション（multi-lateration）またはマルチアンギュレーション（multi-angulation）を使用し得る。測位エンジンは、受信機１１００と同じユーザデバイス上でホストされ得、これは、ＵＥベースのアプローチと呼ばれ得る。代替として、ＵＥ支援型アプローチでは、受信機１１００を含むユーザデバイスは、サービングモバイルロケーションセンター（ＳＭＬＣ：Serving Mobile Location Center）またはセキュアユーザプレーンロケーションプラットフォーム（ＳＬＰ：Secure User Plane Location Platform）などの、ネットワークの異なる構成要素上でホストされる測位エンジンに測定情報を送り得る。
【０１２２】
[0128]  実質的な変形が特定の要件に従ってなされ得ることが、当業者には明らかであろう。例えば、カスタマイズされたハードウェアもまた使用され得、および／または、特定の要素が、ハードウェア、（アプレットまたは同様のものなどの、ポータブルソフトウェアを含む）ソフトウェア、または両方でインプリメントされ得る。さらに、ネットワーク入力／出力デバイスなどの他のコンピューティングデバイスへの接続が用いられ得る。
【０１２３】
[0129]  添付の図面を参照すると、メモリを含み得る構成要素は、非一時的な機械可読媒体（non-transitory machine-readable media）を含み得る。本明細書で使用される場合、「機械可読媒体（machine-readable medium）」、「コンピュータ可読媒体」、「コンピュータ可読メモリデバイス」、および「機械可読媒体（machine readable media）」という用語は、機械を特定のやり方で動作させるデータを提供することに参加する任意の記憶媒体を指す。以上で提供された実施形態では、様々な機械可読媒体は、実行のために処理ユニットおよび／または（１つまたは複数の）他のデバイスに命令／コードを提供することに関与し得る。追加または代替として、機械可読媒体は、このような命令／コードを記憶および／または搬送するために使用され得る。多くのインプリメンテーションでは、コンピュータ可読媒体は、物理的なおよび／または有形の記憶媒体である。このような媒体は、限定はしないが、不揮発性媒体、揮発性媒体、および伝送媒体を含む、多くの形態を取り得る。コンピュータ可読媒体の一般的な形態は、例えば、磁気媒体および／または光学媒体、パンチカード、紙テープ、孔のパターンを有するその他任意の物理的な媒体、ＲＡＭ、ＰＲＯＭ、ＥＰＲＯＭ、ＥＥＰＲＯＭ（登録商標）、ＦＬＡＳＨ−ＥＰＲＯＭ、その他任意のメモリチップまたはカートリッジ、以下に説明されるような搬送波、あるいはコンピュータがそこから命令および／またはコードを読み取ることができるその他任意の媒体を含む。
【０１２４】
[0130]  本明細書で説明された方法、システム、およびデバイスは、例である。様々な実施形態は、適宜、様々なプロシージャまたは構成要素を省略、代用、または追加し得る。例えば、ある特定の実施形態に関して説明された特徴は、様々な他の実施形態において組み合わされ得る。実施形態の異なる態様および要素は、同様の方法で組み合わされ得る。本明細書で提供される図面の様々な構成要素は、ハードウェアおよび／またはソフトウェアにおいて具現化され得る。また、技術は発展し、したがって、要素の多くは、本開示の範囲をそれらの特定の例に限定しない例である。例えば、第５世代（５Ｇ）ネットワークの先の将来のネットワークが、本明細書の実施形態をインプリメントし得る。
【０１２５】
[0131]  主に一般的な使用法の理由から、このような信号を、ビット、情報、値、要素、シンボル、文字、変数、項、数、数字、または同様のものとして参照することが、時として便利であることがわかっている。しかしながら、これらまたは同様の用語の全てが、適切な物理量に関連付けられるべきであり、単なる便利なラベルにすぎないことが理解されるべきである。別段に明記されていない限り、上記の説明から明らかであるように、本明細書全体にわたって、「処理する」、「コンピューティングする」、「計算する」、「決定する」、「確定する」、「識別する」、「関連付ける」、「測定する」、「実行する」、または同様のことなどの用語を利用した説明は、専用コンピュータまたは同様の専用電子コンピューティングデバイスなどの、特定の装置のアクションまたはプロセスを指すことが理解される。したがって、本明細書のコンテキストでは、専用コンピュータまたは同様の専用電子コンピューティングデバイスは、専用コンピュータまたは同様の専用電子コンピューティングデバイスのメモリ、レジスタ、もしくは他の情報記憶デバイス、送信デバイス、またはディスプレイデバイス内の、物理的な電子的、電気的、または磁気的な量として典型的に表される信号を操作または変換することが可能である。汎用コンピュータは、例えば、図５〜図７において説明された方法などの、そのような上記で説明されたアクションまたはプロセスを実行するソフトウェア／コード／実行可能命令のインストールおよび実行により、専用コンピュータになり得ることが理解される。
【０１２６】
[0132]  本明細書で使用される場合、「および（and）」および「または（or）」という用語は、このような用語が使用されるコンテキストに少なくとも部分的に依存し得る、様々な意味を含み得る。典型的に、「または」という用語が、列挙を関連付けるために使用される場合（例えば、Ａ、Ｂ、またはＣ）、ここで包含的な意味で使用される場合は、Ａ、Ｂ、およびＣを意味し、ならびに、ここで排他的な意味で使用される場合は、Ａ、Ｂ、またはＣを意味するように意図される（および、それらを意味し得る）。同様に、「および」という用語が、列挙を関連付けるために使用される場合（例えば、Ａ、Ｂ、およびＣ）、ここで包含的な意味で使用される場合は、Ａ、Ｂ、およびＣを意味し、ならびに、ここで排他的な意味で使用される場合は、Ａ、Ｂ、またはＣを意味するように意図される（および、それらを意味し得る）。加えて、本明細書で使用される場合、「１つまたは複数」という用語は、単数形における任意の特徴、構造、または特性を説明するために使用され得、または特徴、構造、または特性の何らかの組合せを説明するために使用され得る。しかしながら、これは単なる例示的な例にすぎず、特許請求される主題は、この例に限定されるものではないことに留意されたい。さらに、「〜のうちの少なくとも１つ」という用語が、Ａ、Ｂ、またはＣなどの列挙を関連付けるために使用される場合、Ａ、ＡＢ、ＡＡ、ＡＡＢ、ＡＡＢＢＣＣＣなどのような、Ａ、Ｂ、および／またはＣの任意の組合せを意味すると解釈され得る。
【０１２７】
[0133]  いくつかの実施形態が説明されてきたが、様々な修正、代替の構造、および同等物が、本開示の趣旨から逸脱することなく使用され得ることが理解される。例えば、上記要素は、より大きいシステムの単なる構成要素にすぎず、ここにおいて、例えば、他の規則が、様々な実施形態のアプリケーションに優先するか、またはさもなければそれらを修正し得る。また、上記要素が考慮される前、考慮されている間、または考慮された後に、いくつかのステップが着手（undertaken）され得る。したがって、上記説明は、本開示の範囲を限定しない。
【図１】
2021520489.tif 000006
【図２】
2021520489.tif 000007
【図３Ａ】
2021520489.tif 000008
【図３Ｂ】
2021520489.tif 000009
【図４】
2021520489.tif 000010
【図５Ａ】
2021520489.tif 000011
【図５Ｂ】
2021520489.tif 000012
【図５Ｃ】
2021520489.tif 000013
【図５Ｄ】
2021520489.tif 000014
【図５Ｅ】
2021520489.tif 000015
【図５Ｆ】
2021520489.tif 000016
【図６Ａ】
2021520489.tif 000017
【図６Ｂ】
2021520489.tif 000018
【図６Ｃ】
2021520489.tif 000019
【図６Ｄ】
2021520489.tif 000020
【図６Ｅ】
2021520489.tif 000021
【図６Ｆ】
2021520489.tif 000022
【図７】
2021520489.tif 000023
【図８】
2021520489.tif 000024
【図９】
2021520489.tif 000025
【図１０】
2021520489.tif 000026
【図１１】
2021520489.tif 000027
【国際調査報告】
2021520489.tif 000028
2021520489.tif 000029
2021520489.tif 000030